(57)【要約】【課題】携帯通信端末をリモートコントローラーとして一時的に使用可能にする。【解決手段】無線中継装置は、アクセスキーを記憶しており、携帯通信端末に対して近接無線通信によりアクセスキーを送信し、携帯通信端末は、制御コマンドと無線中継装置から受信したアクセスキーとを無線中継装置に送信し、無線中継装置は、携帯通信端末から受信したアクセスキーが正当であると制御コマンドを制御対象装置に送信し、アクセスキーが正当でないと制御コマンドを制御対象装置に送信しない。無線中継装置は、記憶されているアクセスキーを変更する。【選択図】図１
2015181220.tif 000002
【特許請求の範囲】
【請求項１】
制御対象装置を制御するための制御システムに用いられる無線中継装置であって、
前記制御対象装置を制御するための制御コマンドを出力する携帯通信端末との間で、近接無線通信である第１の通信を行なう第１通信インターフェイスと、
前記携帯通信端末との間で前記近接無線通信とは異なる第２の通信を行なう第２通信インターフェイスと、
前記制御対象装置との間で第３の通信を行なう第３通信インターフェイスと、
アクセスキーを記憶するアクセスキー格納部と、
前記第１の通信により、前記アクセスキーを前記携帯通信端末に送信するアクセスキー送信部と、
前記第２の通信により、前記携帯通信端末から前記アクセスキーを受信すると、前記アクセスキー格納部に記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信しない制御コマンド中継部と、
前記アクセスキー格納部に記憶されている前記アクセスキーを変更するアクセスキー設定部と、
を備える、無線中継装置。
【請求項２】
請求項１に記載の無線中継装置において、さらに、
前記制御システムに含まれる管理装置との間で第４の通信を行なう第４通信インターフェイスを備え、
前記アクセスキー設定部は、前記第４の通信により前記管理装置から受信した指示に応じて、前記アクセスキー格納部に記憶されている前記アクセスキーを変更する、無線中継装置。
【請求項３】
請求項１または請求項２に記載の無線中継装置において、さらに、
前記制御コマンド中継部により前記アクセスキーが受信されるよりも前に、前記第２の通信により前記携帯通信端末から前記アクセスキーを受信して、該受信されたアクセスキーが正当であるか否かを判定するアクセスキー受信部と、
該受信されたアクセスキーが正当である場合に、前記制御対象装置の制御に用いられる装置制御情報を、前記第２の通信により前記携帯通信端末に送信する装置制御情報送信部と、
を備える、無線中継装置。
【請求項４】
請求項３に記載の無線中継装置において、
前記アクセスキー受信部は、複数の前記携帯通信端末から少なくとも２つの種類の前記アクセスキーを受信し、
複数の前記携帯通信端末に送信される前記装置制御情報は、前記アクセスキーの種類に応じて互いに異なる、無線中継装置。
【請求項５】
請求項３または請求項４に記載の無線中継装置において、
前記装置制御情報は、前記制御対象装置の機種情報と、前記制御対象装置における制御可能な項目を示す情報と、前記項目の設定可能範囲を示す情報と、のうち、少なくとも１つを含む、無線中継装置。
【請求項６】
制御対象装置を制御するための制御システムであって、
前記制御対象装置を制御するための制御コマンドを出力する携帯通信端末と、
無線中継装置であって、
前記携帯通信端末との間で近接無線通信である第１の通信を行い、
前記携帯通信端末との間で前記近接無線通信とは異なる第２の通信を行い、
前記制御対象装置との間で第３の通信を行い、
アクセスキーを記憶する、無線中継装置と、
を備え、
前記無線中継装置は、前記第１の通信により、前記アクセスキーを前記携帯通信端末に送信し、
前記携帯通信端末は、前記第２の通信により前記アクセスキーと前記制御コマンドとを前記無線中継装置に送信し、
前記無線中継装置は、前記第２の通信により、前記携帯通信端末から前記アクセスキーを受信すると、前記アクセスキー格納部に記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信せず、
前記無線中継装置は、前記記憶されている前記アクセスキーを変更可能に構成されている、制御システム。
【請求項７】
請求項６に記載の制御システムにおいて、さらに、
前記無線中継装置との間で第４の通信を行なって、前記アクセスキーの設定を指示する管理装置を備え、
前記無線中継装置は、前記第４の通信により前記管理装置から受信した指示に応じて、記憶されている前記アクセスキーを変更する、制御システム。
【請求項８】
請求項６または請求項７に記載の制御システムにおいて、
前記携帯通信端末は、表示部を有し、
前記携帯通信端末は、前記第２の通信により前記アクセスキーを前記無線中継装置に少なくとも２回送信し、
前記無線中継装置は、
前記少なくとも２回の前記アクセスキーの送信のうち、時間的により前に実行された前記アクセスキーの送信によって、前記アクセスキーを受信すると、該受信された前記アクセスキーが正当であるか否かを判定し、該受信されたアクセスキーが正当である場合に、前記制御対象装置の制御に用いられる装置制御情報を、前記第２の通信により前記携帯通信端末に送信し、
前記少なくとも２回の前記アクセスキーの送信のうち、時間的により後に実行された前記アクセスキーの送信によって、前記アクセスキーを受信すると、前記アクセスキー格納部に記憶されている前記アクセスキーに基づき、該受信されたアクセスキーが正当であるか否かを判定して、該受信されたアクセスキーが正当であると、前記第２の通信により前記携帯通信端末から受信される前記制御コマンドを、前記第３の通信により前記制御対象装置に送信し、該受信されたアクセスキーが正当でないと、前記受信される制御コマンドを前記制御対象装置に送信せず、
前記携帯通信端末は、前記無線中継装置から受信した前記装置制御情報に基づき前記制御対象装置の制御用画面を生成して、前記表示部に表示する、制御システム。
【請求項９】
請求項８に記載の制御システムにおいて、
前記装置制御情報は、前記制御対象装置の機種情報と、前記制御対象装置における制御可能な項目を示す情報と、前記項目の設定可能範囲を示す情報と、のうち、少なくとも１つを含む、制御システム。
【請求項１０】
請求項６から請求項９までのいずれか一項に記載の制御システムにおいて、
複数の部屋に、それぞれ少なくとも１つの前記無線中継装置が配置され、
前記複数の部屋に、それぞれ少なくとも１つの前記制御対象装置が配置され、
各部屋に配置されている前記無線中継装置は、それぞれ、互いに異なる前記アクセスキーを記憶している、制御システム。
【請求項１１】
請求項６から請求項１０のいずれか一項に記載の制御システムにおいて、
複数の前記無線中継装置を備え、
前記複数の無線中継装置は、それぞれ互いに異なる前記制御対象装置を制御するために用いられ、
前記複数の無線中継装置には、それぞれ互いに異なる種類の前記アクセスキーが割り当てられており、
前記複数の無線中継装置は、それぞれ各前記無線中継装置と各前記無線中継装置に割り当てられている前記アクセスキーとを対応付けて記憶し、
前記複数の無線中継装置は、それぞれ前記複数の無線中継装置のうちの他の無線中継装置との間で第５の通信を行なうことが可能であり、
前記複数の無線中継装置は、それぞれ、前記第２の通信により、前記携帯通信端末から前記アクセスキーを受信すると、前記記憶されている各アクセスキーに基づき、前記受信されたアクセスキーが正当であるか否かを判定して、
前記受信されたアクセスキーが正当であり、かつ、該アクセスキーが自らに割り当てられているアクセスキーである場合に、前記第２の通信により前記携帯通信端末から受信される前記制御コマンドを、前記第３の通信により前記制御対象装置に送信し、
前記受信されたアクセスキーが正当であり、かつ、該アクセスキーが前記他の無線中継装置に対応付けられているアクセスキーである場合に、前記受信される制御コマンドを、前記第５の通信により、該他の無線中継装置に送信し、
前記受信されたアクセスキーが正当でないと、前記受信される制御コマンドを前記制御対象装置および前記他の無線中継装置に送信しない、制御システム。
【請求項１２】
制御システムを用いて制御対象装置を制御するための方法であって、
前記制御システムは、前記制御対象装置を制御するための制御コマンドを出力する携帯通信端末と、無線中継装置であって、
前記携帯通信端末との間で近接無線通信である第１の通信を行い、
前記携帯通信端末との間で前記近接無線通信とは異なる第２の通信を行い、
前記制御対象装置との間で第３の通信を行い、
アクセスキーを記憶する、無線中継装置と、
を有し、
前記方法は、
（ａ）前記無線中継装置において、前記第１の通信により、前記アクセスキーを前記携帯通信端末に送信する工程と、
（ｂ）前記携帯通信端末において、前記第２の通信により、前記アクセスキーを前記無線中継装置に送信する工程と、
（ｃ）前記無線中継装置において、前記第２の通信により、前記携帯通信端末から前記アクセスキーを受信すると、前記記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを前記第３の通信により前記制御対象装置に送信し、前記受信されたアクセスキーが正当でないと、前記受信される制御コマンドを前記制御対象装置に送信しない工程と、
（ｄ）前記無線中継装置において、前記記憶されている前記アクセスキーを変更する工程と、
を備える、方法。
【請求項１３】
制御対象装置を制御するための制御システムに用いられる無線中継装置用のコンピュータープログラムであって、
前記制御対象装置を制御するための制御コマンドを出力する携帯通信端末との間で、近接無線通信である第１の通信を行なう機能と、
前記携帯通信端末との間で前記近接無線通信とは異なる第２の通信を行なう機能と、
前記制御対象装置との間で第３の通信を行なう機能と、
アクセスキーを記憶する機能と、
前記第１の通信により、前記アクセスキーを前記携帯通信端末に送信する機能と、
前記第２の通信により、前記携帯通信端末から前記アクセスキーを受信すると、前記記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信しない機能と、
前記記憶されている前記アクセスキーを変更する機能と、
を前記無線中継装置が有するコンピューターに実現させるためのプログラム。
【発明の詳細な説明】
【技術分野】
【０００１】
本発明は、携帯通信端末を用いた制御対象装置の遠隔制御に関する。
【背景技術】
【０００２】
家庭内に配置されているテレビ受像機や空気調和（以下、単に「空調」とも呼ぶ）装置といった各種電化製品を遠隔制御するためのコントローラーとして、いわゆるスマートフォンやタブレットコンピューター等の携帯通信端末を用いる制御システムが提案されている（特許文献１参照）。
【先行技術文献】
【特許文献】
【０００３】
【特許文献１】特開２０１３−１９８１００号公報
【発明の概要】
【発明が解決しようとする課題】
【０００４】
例えば、ホテルやコンドミニアム等においては、宿泊客がチェックインしてからチェックアウトするまでの限られた期間のみ、かかる宿泊客の携帯通信端末を、照明装置や空調装置等の客室内の装置のリモートコントローラーとして使用させたいという要請があった。しかしながら、上記特許文献１の方法では、チェックアウトした後においても宿泊客の携帯通信端末はリモートコントローラーとして動作し得るため、例えば、次の宿泊客がチェックインした後において、宿泊客の意図とは異なる制御が客室内の装置に対して実行されるおそれがあった。そのため、携帯通信端末をリモートコントローラーとして一時的に使用可能とする技術が望まれていた。かかる課題は、宿泊施設に限らず、テーマパークや遊技場などで、ユーザの携帯通信端末をコントローラーとして使用しようとする場合にも生じ得る。その他、従来の制御システムにおいては、その小型化や、低コスト化や、省資源化、製造の容易化、使い勝手の向上等が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、制御対象装置を制御するための制御システムに用いられる無線中継装置が提供される。この無線中継装置は、前記制御対象装置を制御するための制御コマンドを出力する携帯通信端末との間で、近接無線通信である第１の通信を行なう第１通信インターフェイスと；前記携帯通信端末との間で前記近接無線通信とは異なる第２の通信を行なう第２通信インターフェイスと；前記制御対象装置との間で第３の通信を行なう第３通信インターフェイスと；アクセスキーを記憶するアクセスキー格納部と、；前記第１の通信により、前記アクセスキーを前記携帯通信端末に送信するアクセスキー送信部と；前記第２の通信により、前記携帯通信端末から前記アクセスキーを受信すると、前記アクセスキー格納部に記憶されている前記アクセスキーに基づき、前記受信されたアクセスキーが正当であるか否かを判定して、前記受信されたアクセスキーが正当であると、前記第２の通信により前記携帯通信端末から受信される前記制御コマンドを、前記第３の通信により前記制御対象装置に送信し、前記受信されたアクセスキーが正当でないと、前記受信される制御コマンドを前記制御対象装置に送信しない制御コマンド中継部と；前記アクセスキー格納部に記憶されている前記アクセスキーを変更するアクセスキー設定部と；を備える。この無線中継装置によれば、携帯通信端末から受信したアクセスキーが正当でない限り、携帯通信端末から受信した制御コマンドは、制御対象装置に送信（中継）されない。したがって、アクセスキーによって制御対象装置の制御の可否を制御することができる。加えて、無線中継装置は、アクセスキー格納部に記憶されているアクセスキーを変更するアクセスキー設定部を備えているので、アクセスキーを変更することにより、携帯通信端末を、制御対象装置のリモートコントローラーとして一時的に使用可能とすることができる。また、携帯通信端末は、近接無線通信により無線中継装置からアクセスキーを受信するので、ユーザは、携帯通信端末を無線中継装置に近接させることにより、簡易に携帯通信端末を制御対象装置のリモートコントローラーとして利用することができる。
【０００７】
（２）上記形態の無線中継装置において、さらに、前記制御システムに含まれる管理装置との間で第４の通信を行なう第４通信インターフェイスを備え、前記アクセスキー設定部は、前記第４の通信により前記管理装置から受信した指示に応じて、前記アクセスキー格納部に記憶されている前記アクセスキーを変更してもよい。この形態の無線中継装置によれば、第４の通信によって管理装置から無線中継装置に指示を送信することにより、無線中継装置に記憶されているアクセスキーを変更できる。このため、管理装置によって、携帯通信端末のリモートコントローラーとしての使用の可否を制御できる。
【０００８】
（３）上記形態の無線中継装置において、さらに、前記制御コマンド中継部により前記アクセスキーが受信されるよりも前に、前記第２の通信により前記携帯通信端末から前記アクセスキーを受信して、該受信されたアクセスキーが正当であるか否かを判定するアクセスキー受信部と；該受信されたアクセスキーが正当である場合に、前記制御対象装置の制御に用いられる装置制御情報を、前記第２の通信により前記携帯通信端末に送信する装置制御情報送信部と；を備えてもよい。この形態の無線中継装置によれば、無線中継装置は、第２の通信により受信したアクセスキーが正当である場合に、かかるアクセスキーの送信元の携帯通信端末に装置制御情報を送信できる。このため、ユーザによって無線中継装置に近接され、ユーザがリモートコントローラーとしての使用を意図する携帯通信端末のみに装置制御情報を送信することができる。換言すると、ユーザがリモートコントローラーとしての使用を意図しない携帯通信端末に装置制御情報が送信されることを抑制できる。
【０００９】
（４）上記形態の無線中継装置において、前記アクセスキー受信部は、複数の前記携帯通信端末から少なくとも２つの種類の前記アクセスキーを受信し、複数の前記携帯通信端末に送信される前記装置制御情報は、前記アクセスキーの種類に応じて互いに異なってもよい。この形態の無線中継装置によれば、複数の携帯通信端末をリモートコントローラーとして利用する場合に、アクセスキーの種類に応じた装置制御情報を送信することができる。このため、複数の携帯通信端末においてアクセスキーの種類を異ならせることにより、例えば、携帯通信端末が制御対象とする装置の種類や制御項目等を異ならせることができる。また、アクセスキーを一致させることにより、制御対象とする装置の種類や制御項目等を一致させることができる。
【００１０】
（５）上記形態の無線中継装置において、前記装置制御情報は、前記制御対象装置の機種情報と、前記制御対象装置における制御可能な項目を示す情報と、前記項目の設定可能範囲を示す情報と、のうち、少なくとも１つを含んでもよい。この形態の無線中継装置によれば、制御対象装置の機種情報と、制御対象装置における制御可能な項目を示す情報と、制御対象装置における制御可能な項目の設定可能範囲を示す情報と、のうち、少なくとも１つを、携帯通信端末に送信できる。このため、携帯通信端末において、受信した情報に基づき、制御対象装置の機種と、制御可能な項目と、設定可能範囲とのうち、少なくとも１つを特定し、特定された情報に基づき制御対象装置の制御を実行できる。
【００１１】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１２】
例えば、本発明の一形態は、第１通信インターフェイスと、第２通信インターフェイスと、第３通信インターフェイスと、アクセスキー格納部と、アクセスキー送信部と、制御コマンド中継部と、アクセスキー設定部とを備える装置として実現可能である。第１通信インターフェイスは、制御対象装置を制御するための制御コマンドを出力する携帯通信端末との間で近接無線通信である第１の通信を行なう第１通信インターフェイスとして構成されてもよい。第２通信インターフェイスは、携帯通信端末との間で前記近接無線通信とは異なる第２の通信を行なう第２通信インターフェイスとして構成されてもよい。第３通信インターフェイスは、制御対象装置との間で第３の通信を行なう第３通信インターフェイスとして構成されてもよい。アクセスキー格納部は、アクセスキーを記憶するアクセスキー格納部として構成されてもよい。アクセスキー送信部は、第１の通信により、前記アクセスキーを前記携帯通信端末に送信するアクセスキー送信部として構成されてもよい。制御コマンド中継部は、第２の通信により、携帯通信端末からアクセスキーを受信すると、アクセスキー格納部に記憶されているアクセスキーに基づき、受信されたアクセスキーが正当であるか否かを判定して、受信されたアクセスキーが正当であると、第２の通信により携帯通信端末から受信される制御コマンドを第３の通信により制御対象装置に送信し、受信されたアクセスキーが正当でないと、受信される制御コマンドを制御対象装置に送信しない制御コマンド中継部として構成されてもよい。アクセスキー設定部は、アクセスキー格納部に記憶されているアクセスキーを変更するアクセスキー設定部として構成されてもよい。こうした装置は、例えば、無線中継装置として実現できるが、無線中継装置に代えて、制御システムとしても実現可能である。このような形態によれば、装置の小型化や、低コスト化、省資源化、省電力化、製造の容易化、使い勝手の向上等の種々の課題の少なくとも一つを解決することができる。前述した無線中継装置の各形態の技術的特徴の一部又は全部は、いずれもこの装置に適用することが可能である。
【００１３】
本発明は、種々の形態で実現することも可能である。例えば、制御システムや、制御システムを用いて制御対象装置を制御する方法や、無線中継装置の機能を実現するコンピュータープログラム、そのコンピュータープログラムを記録した一時的でない記録媒体等の形態で実現することができる。
【図面の簡単な説明】
【００１４】
【図１】本発明の一実施形態としての制御システムの概略構成を示す説明図である。
【図２】図１に示す無線中継装置１００の詳細構成を示すブロック図である。
【図３】照明装置４００ａおよび空調装置４００ｂの装置制御情報の一例を模式的に示す説明図である。
【図４】図１に示す携帯通信端末２００の詳細構成を示すブロック図である。
【図５】図１に示す管理装置３００の詳細構成を示すブロック図である。
【図６】第１実施形態における遠隔制御処理の手順を示すシーケンス図である。
【図７】ステップＳ１３５において生成される操作用画面の一例を示す説明図である。
【図８】第１実施形態におけるアクセスキー変更処理の手順を示すシーケンス図である。
【図９】第２実施形態における装置制御情報の一例を模式的に示す説明図である。
【図１０】第２実施形態における遠隔制御処理の手順を示すシーケンス図である。
【図１１】第２実施形態における操作用画面の一例を示す説明図である。
【図１２】第３実施形態の遠隔制御処理における携帯通信端末２００の処理手順を示すフローチャートである。
【図１３】図１２に示すステップＳ１１７においてタッチパネル２３０に表示されるパスワード入力画面Ｗ２１の一例を示す説明図である。
【図１４】第４実施形態における制御システム１０ａの概略構成を示す説明図である。
【図１５】第４実施形態の遠隔制御処理における２台の無線ＬＡＮリピータ１５１，１５２の処理手順を示すフローチャートである。
【図１６】第５実施形態の遠隔制御処理における２台の無線ＬＡＮリピータ１５１，１５２の処理手順を示すフローチャートである。
【図１７】第５実施形態の遠隔制御処理における無線中継装置１００の処理手順を示すフローチャートである。
【発明を実施するための形態】
【００１５】
Ａ．第１実施形態：
Ａ−１．システム構成：
図１は、本発明の一実施形態としての制御システムの概略構成を示す説明図である。第１実施形態の制御システム１０は、ホテルに配置されており、各部屋に配置されている電化製品（後述する照明装置４００ａおよび空調装置４００ｂ）を、宿泊客の携帯通信端末を用いて制御させるためのシステムである。図１の例では、連続する２つの部屋Ｒ１，Ｒ２が表わされている。なお、各部屋の構成はほぼ同一であるので、以下、部屋Ｒ１を代表して説明する。
【００１６】
部屋Ｒ１には、照明装置４００ａと、空調装置４００ｂとが配置されている。照明装置４００ａは、無線通信部４１０ａと、主制御部４２０ａと、主機能部４３０ａとを備えている。無線通信部４１０ａは、後述する無線中継装置１００との間で無線通信を実行する。かかる無線通信としては、例えば、Ｚ−Ｗａｖｅ（登録商標）や、Ｚｉｇｂｅｅ（登録商標）や、Ｂｌｕｅｔｏｏｔｈ（登録商標）や、ＩＥＥＥ（The Institute of Electrical and Electronics Engineers）８０２．１１に規定されている各種無線ＬＡＮ（Local Area Network）などの標準化された通信方式の他、標準化されていない任意の通信方式の無線通信を採用することができる。なお、上述した無線通信部４１０ａと無線中継装置１００との間の無線通信の通信方式としては、ＥＣＯＮＥＴ  Ｌｉｔｅに準拠した通信方式が好ましい。主制御部４２０ａは、無線通信部４１０ａおよび主機能部４３０ａと接続されており、照明装置４００ａ全体を制御する。主機能部４３０ａは、照明装置４００ａの主機能である照明機能を実現するための機能部である。空調装置４００ｂは、無線通信部４１０ｂと、主制御部４２０ｂと、主機能部４３０ｂとを備えている。無線通信部４１０ｂは、前述の無線通信部４１０ａと同様であるので、詳細な説明を省略する。主制御部４２０ｂは、無線通信部４１０ｂおよび主機能部４３０ｂと接続されており、空調装置４００ｂ全体を制御する。主機能部４３０ｂは、空調装置４００ｂの主機能である空気調和機能を実現するための機能部である。
【００１７】
制御システム１０は、各部屋に配置されている無線中継装置１００と、各部屋の滞在者が所持する携帯通信端末２００と、管理装置３００と、ホテル内ＬＡＮ１５とを備えている。無線中継装置１００は、前述の照明装置４００ａおよび空調装置４００ｂとそれぞれ無線通信（上述したＺ−Ｗａｖｅ（登録商標）やＺｉｇｂｅｅ（登録商標）等）が可能であると共に、携帯通信端末２００との間で無線通信が可能であり、また、ホテル内ＬＡＮ１５を介して管理装置３００と通信可能である。携帯通信端末２００は、本実施形態では、いわゆるスマートフォンであり、部屋Ｒ１にチェックインした宿泊客が所持している。携帯通信端末２００は、無線中継装置１００との間で無線通信が可能である。管理装置３００は、ホテル内ＬＡＮ１５を介して各部屋の無線中継装置１００と通信することができる。ホテル内ＬＡＮ１５は、本実施形態では、有線ＬＡＮであり、例えば、ＩＥＥＥ８０２．３規格群に規定されている各種有線ＬＡＮを採用することができる。なお、ＩＥＥＥ８０２．３規格群で規定された各種有線ＬＡＮに代えて、ＰＬＣ（Power Line Communication）を採用してもよい。
【００１８】
図２は、図１に示す無線中継装置１００の詳細構成を示すブロック図である。無線中継装置１００は、近接無線通信制御回路４１と、無線ＬＡＮ通信制御回路４２と、無線通信制御回路４３と、有線ＬＡＮ通信制御回路４４と、ＣＰＵ（Central Processing Unit）２０と、メモリ３０とを備えている。
【００１９】
近接無線通信制御回路４１は、変調器やアンプ、アンテナを有し、通信距離が数十メートル以下である無線通信を実行する。本実施形態では、かかる無線通信として、ＩＳＯ／ＩＥＣ１８０９２に規定されているＮＦＣ（Near Field Communication）を採用する。なお、ＩＳＯ／ＩＥＣ１８０９２に代えて、ＩＳＯ／ＩＥＣ２１４８１やＩＳＯ／ＩＥＣ１４４４３（ＭＩＦＡＲＥ（登録商標））や、ＴｒａｎｓｆｅｒＪｅｔ（登録商標）や、Ｆｅｌｉｃａ（登録商標）や、ＩＳＯ／ＩＥＣ１５６９３等に規定されるＲＦＩＤ（Radio Frequency IDentification）など、最大通信距離が比較的短い任意の無線通信を採用してもよい。
【００２０】
無線ＬＡＮ通信制御回路４２は、変調器やアンプ、アンテナを有し、例えばＩＥＥＥ８０２．１１ａ／ｂ／ｇ／ｎ／ａｃに準拠した無線ＬＡＮアクセスポイントとして、無線ＬＡＮステーションと無線通信を行なう。
【００２１】
無線通信制御回路４３は、前述の照明装置４００ａの無線通信部４１０ａおよび空調装置４００ｂの無線通信部４１０ｂと同様な機能を有するので、詳細な説明は省略する。
【００２２】
有線ＬＡＮ通信制御回路４４は、ネットワークケーブルが接続されるポートを備え、ＩＥＥＥ（Institute of Electrical and Electronic Engineers）８０２．３に準拠したフレームの送受信を行う。無線中継装置１００は、有線ＬＡＮ通信制御回路４４によりホテル内ＬＡＮ１５に接続されている。
【００２３】
ＣＰＵ２０は、メモリ３０に記憶されている制御プログラムを実行することにより、フレーム中継部２０ａ、制御コマンド中継部２０ｂ、アクセスキー送信部２０ｃ、アクセスキー受信部２０ｄ、アクセスキー設定部２０ｅ、装置制御情報送信部２０ｆ、および指示受信部２０ｇとして機能する。
【００２４】
フレーム中継部２０ａは、上述した各通信制御回路４１〜４４を介して受信したフレーム（ＯＳＩ（Open Systems Interconnection）参照モデルにおけるレイヤ２のフレーム）を中継する。例えば、無線通信制御回路４３が無線通信としてＺ−Ｗａｖｅ（登録商標）やＺｉｇｂｅｅ（登録商標）といった、無線ＬＡＮ（ＩＥＥＥ８０２．１１規格群で規定される無線ＬＡＮ）とは異なる方式（プロトコル）の無線通信を実行する場合、フレーム中継部２０ａは、無線通信制御回路４３と無線ＬＡＮ通信制御回路４２との間においてプロトコル変換を行い、無線中継装置１００は、ゲートウェイとして動作する。また、例えば、無線通信制御回路４３が無線通信として無線ＬＡＮ通信を実行する場合、フレーム中継部２０ａは、無線通信制御回路４３と無線ＬＡＮ通信制御回路４２との間においてレイヤ２フレームの中継を行い、無線中継装置１００は、いわゆるブリッジとして動作する。制御コマンド中継部２０ｂは、照明装置４００ａおよび空調装置４００ｂを制御するための制御コマンドの中継を制御する。アクセスキー送信部２０ｃは、照明装置４００ａおよび空調装置４００ｂを制御するために用いられるアクセスキーを、近接無線通信制御回路４１を介して携帯通信端末２００へ送信する。アクセスキーとは、携帯通信端末２００から制御コマンドと共に出力され得る情報であり、照明装置４００ａまたは空調装置４００ｂへの制御コマンドの中継の可否を判定するために用いられる情報である。後述するように、無線中継装置１００は、無線ＬＡＮ通信制御回路４２を介して携帯通信端末２００から受信したアクセスキーが正当であれば、制御コマンドを、無線通信制御回路４３を介して照明装置４００ａまたは空調装置４００ｂに中継する。本実施形態では、アクセスキーとして、所定桁数の数字および文字からなる情報を採用する。アクセスキー受信部２０ｄは、無線ＬＡＮ通信制御回路４２を介してアクセスキーを受信すると共に、受信したアクセスキーの正当性を判定する。アクセスキー設定部２０ｅは、後述するアクセスキー格納部３０ａに記憶されているアクセスキーを変更する。装置制御情報送信部２０ｆは、後述する装置制御情報格納部３０ｂに記憶されている装置制御情報を携帯通信端末２００に送信する。指示受信部２０ｇは、管理装置３００から出力される指示を受信する。
【００２５】
メモリ３０は、アクセスキー格納部３０ａと、装置制御情報格納部３０ｂと、無線接続プロファイル格納部３０ｃとを備えている。アクセスキー格納部３０ａは、アクセスキーを格納する。アクセスキー格納部３０ａには、予めアクセスキーが格納されており、宿泊客がチェックアウトすると、かかるアクセスキーは変更される。装置制御情報格納部３０ｂは、照明装置４００ａおよび空調装置４００ｂの装置制御情報を格納する。装置制御情報とは、照明装置４００ａおよび空調装置４００ｂの制御に用いられる情報である。
【００２６】
上記のＣＰＵ２０，メモリ３０で扱われるアクセスキーは、携帯通信端末２００から制御コマンドと共に出力され得る情報であり、照明装置４００ａまたは空調装置４００ｂへの制御コマンドの中継の可否を判定するために用いられる情報である。後述するように、無線中継装置１００は、無線ＬＡＮ通信制御回路４２を介して携帯通信端末２００から受信したアクセスキーが正当であれば、制御コマンドを、無線通信制御回路４３を介して照明装置４００ａまたは空調装置４００ｂに中継する。本実施形態では、アクセスキーとして、所定桁数の数字および文字からなる情報を採用する。なお、アクセスキーの桁数は固定でも良いし、可変桁数としても良い。
【００２７】
図３は、照明装置４００ａおよび空調装置４００ｂの装置制御情報の一例を模式的に示す説明図である。図３において、Ｎｏ．１は、照明装置４００ａの装置制御情報を示し、Ｎｏ．２は、空調装置４００ｂの装置制御情報を示す。図３に示すように、装置制御情報は、装置種別と、型番と、制御項目と、設定範囲と、制御コマンドを含む。装置種別は、制御対象装置の種類を示す情報であり、照明装置４００ａには「照明装置」が、空調装置４００ｂには「空調装置」がそれぞれ設定されている。型番とは、制御対象装置の型番を示す情報であり、照明装置４００ａには「ＡＡＡＡＡ」が、空調装置４００ｂには「ＢＢＢＢＢ」がそれぞれ設定されている。制御項目とは、制御対象装置における制御可能な項目を示す情報であり、照明装置４００ａには「動作」が、空調装置４００ｂには「動作」と「運転モード」と「目標温度」とがそれぞれ設定されている。設定範囲とは、制御可能な項目において、設定可能な値または値の範囲を示す情報である。図３に示すように、照明装置４００ａの制御項目「動作」に対しては、「ＯＮ」と「ＯＦＦ」とが設定されている。これは、照明装置４００ａの動作として、ＯＮまたはＯＦＦを設定できることを意味する。なお、空調装置４００ｂの制御項目「動作」に対しても、「ＯＮ」と「ＯＦＦ」とが設定されている。空調装置４００ｂの制御項目「運転モード」に対しては、「冷房」と「暖房」と「除湿」とが設定されている。これは、空調装置４００ｂの運転モードとして、冷房モードと暖房モードと除湿モードとを選択して設定できることを意味する。空調装置４００ｂの制御項目「目標温度」に対しては、「１５℃〜３０℃」が設定されている。これは、空調装置４００ｂの目標温度として、１５℃から３０℃の範囲の任意の温度を設定できることを意味する。制御コマンドとは、各制御対象装置（照明装置４００ａおよび空調装置４００ｂ）において制御項目を制御するためのコマンドを示す情報である。なお、かかる制御コマンドでは、設定範囲を指定することができる。図３に示すように、照明装置４００ａの制御項目「動作」に対して、制御コマンド「ａａａａ」が設定されている。空調装置４００ｂの制御項目「動作」に対して、制御コマンド「ｂｂｂｂ」が設定されている。また、空調装置４００ｂの制御項目「運転モード」に対して制御コマンド「ｃｃｃｃ」が、空調装置４００ｂの制御項目「目標温度」に対して制御コマンド「ｄｄｄｄ」が、それぞれ設定されている。上述した照明装置４００ａおよび空調装置４００ｂの装置制御情報は、予めシステム管理者により装置制御情報格納部３０ｂに格納されている。
【００２８】
図２に示す無線接続プロファイル格納部３０ｃには、無線ＬＡＮ通信制御回路４２や無線通信制御回路４３による無線通信において用いられる各種情報（無線接続プロファイル）が予め格納されている。具体的には、無線接続プロファイル格納部３０ｃには、ＥＳＳＩＤ（Extended Service Set Identifier）や、暗号化方式を示す情報や、暗号鍵などの情報が、予め格納されている。
【００２９】
図４は、図１に示す携帯通信端末２００の詳細構成を示すブロック図である。図４に示すように、携帯通信端末２００は、タッチパネル２３０と、近接無線通信制御回路２４１と、無線ＬＡＮ通信制御回路２４２と、移動体通信制御回路２４３と、音声入出力部２５１と、操作部２５２と、ＣＰＵ２１０と、メモリ２２０とを備えている。
【００３０】
タッチパネル２３０としては、抵抗膜方式や静電容量方式など、任意の動作方式のタッチパネルを採用することができる。近接無線通信制御回路２４１は、図２に示す無線中継装置１００の近接無線通信制御回路４１と同様な構成を有するので、詳細な説明を省略する。同様に、無線ＬＡＮ通信制御回路２４２は、図２に示す無線中継装置１００の無線ＬＡＮ通信制御回路４２と同様な構成を有するので、詳細な説明を省略する。移動体通信制御回路２４３は、変調器やアンプ、アンテナを含み、例えば３Ｇ／ＨＳＰＡ（High Speed Packet Access）、ＬＴＥ（Long Term Evolution）、およびＷｉｍａｘ（Worldwide Interoperability for Microwave Access）などの規格に準拠した無線データ通信を実行する移動体通信端末として、移動体通信網の基地局と無線通信を行う。音声入出力部２５１は、マイク及びスピーカを備え、音声の入力及び出力を行う。操作部２５２は、各種メニューを選択するための操作ボタン、音量を調整するための操作ボタン、番号や文字列を入力するためのボタンなどを備えている。
【００３１】
ＣＰＵ２１０は、メモリ２２０に記憶されている制御プログラムを実行することにより、アクセスキー制御部２１１および通話制御部２１２として機能する。アクセスキー制御部２１１は、近接無線通信制御回路２４１を介して無線中継装置１００からアクセスキーおよび無線通信プロファイルを受信する。通話制御部２１２は、移動体通信制御回路２４３を介した音声通話における呼制御を実行する。ＣＰＵ２１０は、携帯通信端末２００の電源がオンした際に、上述したアクセスキー制御部２１１および通話制御部２１２として機能する。また、ＣＰＵ２１０は、携帯通信端末２００の電源がオンした後であり、かつ、後述する遠隔制御処理においてリモートコントローラーアプリケーションが実行されると、リモートコントローラー部２１３および画面生成部２１４として機能する。リモートコントローラー部２１３は、照明装置４００ａおよび空調装置４００ｂを遠隔制御する。画面生成部２１４は、照明装置４００ａおよび空調装置４００ｂを遠隔制御するための操作用画面を生成してタッチパネル２３０に表示させる。
【００３２】
メモリ２２０は、アクセスキー格納部２２１と、装置制御情報格納部２２２と、無線接続プロファイル格納部２２３とを備えている。アクセスキー格納部２２１は、アクセスキーを格納する。装置制御情報格納部２２２は、装置制御情報を格納する。無線接続プロファイル格納部２２３は、無線接続プロファイルを格納する。なお、チェックインした直後の携帯通信端末２００には、各格納部２２１〜２２３には、情報が格納されていない。後述する遠隔制御処理において、各格納部２２１〜２２３に情報が格納される。本実施形態では、携帯通信端末２００は無線通信により照明装置４００ａなどを制御するので、これを「遠隔制御（リモートコントロール）」と呼ぶ。実際には、携帯通信端末２００は、照明装置４００ａや空調装置４００ｂに対して、近接して用いられても良く、空調装置４００ｂやその他の家庭電化製品（例えばテレビやオーディオ機器）などに用意されたドックに設置して、装置をコントロールするような使い方をすることも差し支えない。
【００３３】
図５は、図１に示す管理装置３００の詳細構成を示すブロック図である。管理装置３００は、ノート型パーソナルコンピューター（ＰＣ）により構成されており、筐体３０１内に配置されているＣＰＵ３１０、メモリ３２０、ハードディスク３３０、有線ＬＡＮ制御回路３４０、表示部３５１、キーボード３５２、および入出力インターフェイス部３６０を備えている。
【００３４】
ＣＰＵ３１０は、メモリ３２０に記憶されている制御プログラムを読み出して実行することにより、宿泊管理部３１１およびアクセスキー更新制御部３１２として機能する。宿泊管理部３１１は、各部屋のチェックインおよびチェックアウトを管理すると共に、各部屋の清算等の管理を行なう。アクセスキー更新制御部３１２は、後述するアクセスキー変更処理を実行する。
【００３５】
ハードディスク３３０は、アクセスキー格納部３３１を備えている。アクセスキー格納部３３１には、各部屋に割り当てられているアクセスキーが格納されている。有線ＬＡＮ制御回路３４０は、図２に示す無線中継装置１００の有線ＬＡＮ通信制御回路４４と同様な構成であるので、詳細な説明を省略する。表示部３５１は例えば、液晶パネルを用いて構成することができる。入出力インターフェイス部３６０は、表示部３５１又はキーボード３５２と、ＣＰＵ３１０又はメモリ３２０との間におけるデータの入出力を制御する。
【００３６】
上述した無線中継装置１００の近接無線通信制御回路４１は、請求項における第１通信インターフェイスに相当する。また、無線ＬＡＮ通信制御回路４２は請求項における第２通信インターフェイスに、無線通信制御回路４３は請求項における第３通信インターフェイスに、有線ＬＡＮ通信制御回路４４は請求項における第４通信インターフェイスに、それぞれ相当する。
【００３７】
Ａ−２．遠隔制御処理：
宿泊客が図１に示す部屋Ｒ１にチェックインし、所持している携帯通信端末２００を無線中継装置１００に近接させると、携帯通信端末２００の近接無線通信制御回路２４１と無線中継装置１００の近接無線通信制御回路４１とが近接通信を行なうことにより、携帯通信端末２００と無線中継装置１００との間でＮＦＣの通信路が確立されると共に、携帯通信端末２００によって照明装置４００ａおよび空調装置４００ｂを遠隔制御する処理（以下、「遠隔制御処理」と呼ぶ）が開始される。
【００３８】
図６は、第１実施形態における遠隔制御処理の手順を示すシーケンス図である。図６において、左側は携帯通信端末２００における処理手順を示し、右側は無線中継装置１００における処理手順を示す。無線中継装置１００のアクセスキー送信部２０ｃは、携帯通信端末２００とのＮＦＣの通信経路が確立されると、部屋Ｒ１用のアクセスキーと、無線中継装置１００との間の無線ＬＡＮ接続に用いられる無線接続プロファイルとを、ＮＦＣを利用して携帯通信端末２００に送信する（ステップＳ２０５）。
【００３９】
携帯通信端末２００のアクセスキー制御部２１１は、遠隔制御処理が開始されると、アクセスキーおよび無線接続プロファイルを受信するまで待機しており（ステップＳ１０５）、アクセスキーおよび無線接続プロファイルを受信すると（ステップＳ１０５：ＹＥＳ）、受信したアクセスキーをアクセスキー格納部２２１に格納すると共に、受信した無線接続プロファイルを無線接続プロファイル格納部２２３に格納する（ステップＳ１１０）。なお、アクセスキーおよび無線接続プロファイルの送受信が完了して、携帯通信端末２００が無線中継装置１００から遠ざかると、ＮＦＣによる通信経路は切断される。
【００４０】
携帯通信端末２００では、ＣＰＵ２０は、アクセスキーおよび無線接続プロファイルを格納した後（ステップＳ１１０）、リモートコントローラーアプリケーションを起動させ（ステップＳ１１５）、図４に示すリモートコントローラー部２１３および画面生成部２１４として機能させる。リモートコントローラー部２１３は、無線中継装置１００から受信したアクセスキーを、無線ＬＡＮ通信制御回路２４２を介して無線中継装置１００に送信する（ステップＳ１２０）。
【００４１】
携帯通信端末２００とＮＦＣの通信経路を確立し、前述のステップＳ２０５を実行した後、無線中継装置１００は、アクセスキー受信部２０ｄにより、無線ＬＡＮ通信制御回路４２を介してアクセスキーを受信するまで待機している（ステップＳ２１０）。無線中継装置１００は、アクセスキーを受信すると（ステップＳ２１０：ＹＥＳ）、受信したアクセスキーが正当であるか否かを判定する（ステップＳ２１５）。かかる判定は、具体的には、受信したアクセスキーと、無線中継装置１００のアクセスキー格納部３０ａに格納されているアクセスキーとを比較して、両者が一致した場合に正当であると判定され、一致しない場合に正当ではないと判定される。なお、アクセスキーが正当なものか否かの判断は、本実施形態では、無線中継装置１００で行なうものとしたが、他の機器、例えば、管理装置３００で行なうものとして良い。この場合、無線中継装置１００が携帯通信端末２００から受け取ったアクセスキーを、管理装置３００に送信し、管理装置３００で正当か否かの判断を行ない、その結果を無線中継装置１００に返信するものとすれば良い。
【００４２】
前述のステップＳ２１５において、受信したアクセスキーが正当でないと判定されると（ステップＳ２１５：ＮＯ）、前述のステップＳ２１０が実行される。これに対して、受信したアクセスキーが正当であると判定されると（ステップＳ２１５：ＹＥＳ）、無線中継装置１００の装置制御情報送信部２０ｆは、装置制御情報格納部３０ｂに格納されている、照明装置４００ａの装置制御情報および空調装置４００ｂの装置制御情報を、無線ＬＡＮ通信制御回路４２を介して携帯通信端末２００に送信する（ステップＳ２２０）。
【００４３】
携帯通信端末２００において、リモートコントローラー部２１３は、前述のステップＳ１２０が実行された後、装置制御情報を受信するまで待機しており（ステップＳ１２５）、装置制御情報を受信すると（ステップＳ１２５：ＹＥＳ）、受信した装置制御情報を装置制御情報格納部２２２に格納する（ステップＳ１３０）。
【００４４】
携帯通信端末２００において、画面生成部２１４は、ステップＳ１３０において、装置制御情報格納部２２２に格納された装置制御情報に基づき、照明装置４００ａおよび空調装置４００ｂの操作用画面を生成してタッチパネル２３０に表示させる（ステップＳ１３５）。
【００４５】
図７は、ステップＳ１３５において生成される操作用画面の一例を示す説明図である。操作用画面Ｗ１には、「操作対象装置を選択してください」との文字列が表わされていると共に、２つの対象装置選択ボタンＢ１，Ｂ２と、ＯＫボタンＢ３と、キャンセルボタンＢ４とが表示されている。対象装置選択ボタンＢ１は、照明装置４００ａを選択するためのボタンであり、対象装置選択ボタンＢ２は、空調装置４００ｂを選択するためのボタンである。図７の例では、対象装置選択ボタンＢ１が選択されており、この状態でＯＫボタンＢ３が押下されると、照明装置４００ａ用の制御画面Ｗ２がタッチパネル２３０に表示される。制御画面Ｗ２には、制御対象装置である照明装置４００ａの装置種別（照明装置）および型番（ＡＡＡＡＡ）が表示されている。また、制御画面Ｗ２には、図３に示す照明装置の制御項目である「動作」の設定範囲である「ＯＮ」および「ＯＦＦ」を指定する２つのボタンＢ１１，Ｂ１２が表示されている。
【００４６】
図６に示すように、携帯通信端末２００において、リモートコントローラー部２１３は、前述のステップＳ１３５が実行された後、操作用画面を用いた制御操作が発生するまで待機しており（ステップＳ１４０）、制御操作が発生すると（ステップＳ１４０：ＹＥＳ）、操作内容に従った制御コマンドと共にアクセスキー格納部２２１に格納されているアクセスキーを、無線ＬＡＮ通信制御回路２４２を介して無線中継装置１００に送信する（ステップＳ１４５）。例えば、図７に示す制御画面Ｗ２において、宿泊客がボタンＢ１１を押下すると、リモートコントローラー部２１３は、照明装置４００ａの電源をオンにするための制御コマンドと共にアクセスキーを、無線中継装置１００に送信する。こうして制御画面Ｗ２を用いた操作が完了すると、タッチパネル２３０の表示は制御画面Ｗ１に戻される。
【００４７】
無線中継装置１００において、制御コマンド中継部２０ｂは、前述のステップＳ２２０が実行された後、アクセスキーおよび制御コマンドを受信するまで待機しており（ステップＳ２２５）、アクセスキーおよび制御コマンドを受信すると（ステップＳ２２５：ＹＥＳ）、受信したアクセスキーが正当であるか否かを判定する（ステップＳ２３０）。ステップＳ２３０は、前述のステップＳ２１５と同じであるので、詳細な説明を省略する。
【００４８】
前述のステップＳ２３０において、受信したアクセスキーが正当であると判定されると（ステップＳ２３０：ＹＥＳ）、制御コマンド中継部２０ｂは、受信したアクセスキーおよび制御コマンドのうちの制御コマンドのみを、無線通信制御回路４３を介して照明装置４００ａまたは空調装置４００ｂに送信する（ステップＳ２３５）。その後、制御コマンド中継部２０ｂは、無線ＬＡＮ通信制御回路４２を介して制御完了報告を携帯通信端末２００に送信する（ステップＳ２４０）。これに対して、前述のステップＳ２３０において、受信したアクセスキーが正当でないと判定されると（ステップＳ２３０：ＮＯ）、制御コマンド中継部２０ｂは、無線ＬＡＮ通信制御回路４２を介してエラー報告を携帯通信端末２００に送信する（ステップＳ２４５）。前述のステップＳ２４０またはＳ２４５が実行された後、無線中継装置１００において遠隔制御処理は終了する。
【００４９】
携帯通信端末２００において、リモートコントローラー部２１３は、前述のステップＳ１４５が実行された後、操作結果を受信するまで待機しており（ステップＳ１５０）、操作結果（制御完了報告またはエラー報告）を受信すると（ステップＳ１５０：ＹＥＳ）、受信した操作結果を示す情報を、タッチパネル２３０に表示させる（ステップＳ１５５）。ステップＳ１５５において表示させる情報としては、例えば、制御完了報告を受信した場合には、操作用画面Ｗ１に「操作完了」の文字列を、エラー報告を受信した場合には、操作用画面Ｗ１に「エラー」の文字列を、それぞれ採用してもよい。「○」「×」などの記号や、装置の動作状態を示すイラスト等を表示しても良い。
【００５０】
携帯通信端末２００において、リモートコントローラー部２１３は、宿泊客によるリモートコントローラーアプリケーションの終了操作が有ったか否かを判定し（ステップＳ１６０）、終了操作が有ったと判定された場合には（ステップＳ１６０：ＹＥＳ）、携帯通信端末２００において、遠隔制御処理は終了する。なお、本実施形態では、終了操作とは、図７に示すキャンセルボタンＢ４の押下を意味する。これに対して、ステップＳ１６０において、終了操作が無いと判定された場合には（ステップＳ１６０：ＮＯ）、前述のステップＳ１３５に戻る。
【００５１】
第１実施形態によれば、同一の部屋Ｒ１の宿泊客が同時に複数（例えば、夫婦や親子）存在する場合、各携帯通信端末２００を照明装置４００ａおよび空調装置４００ｂのリモートコントローラーとして利用することができる。宿泊客ごとに自らが所有する携帯通信端末２００を無線中継装置１００に近接させると、同じアクセスキーと装置制御情報とが、各携帯通信端末２００に送信される。各人の携帯通信端末２００のそれぞれは、同じアクセスキーと装置制御情報とを用いて、図６に示した遠隔制御処理を実行することにより、照明装置４００ａなどを制御することが可能となる。
【００５２】
Ａ−３．アクセスキー変更処理：
管理装置３００および無線中継装置１００において、それぞれ、電源がオンされると、アクセスキー変更処理が開始される。アクセスキー変更処理とは、無線中継装置１００のアクセスキー格納部３０ａに格納されているアクセスキーを変更する処理を意味する。
【００５３】
図８は、第１実施形態におけるアクセスキー変更処理の手順を示すシーケンス図である。図８において、左側は管理装置３００における処理手順を示し、右側は無線中継装置１００における処理手順を示す。
【００５４】
管理装置３００において、アクセスキー更新制御部３１２は、宿泊管理部３１１によるチェックアウト処理が実行されるまで待機しており（ステップＳ３０５）、チェックアウト処理が実行されて完了すると（ステップＳ３０５：ＹＥＳ）、チェックアウトされた部屋に割り当てられているアクセスキーを変更してアクセスキー格納部３３１に格納すると共に、変更後の新たなアクセスキーを含むアクセスキー変更命令を、有線ＬＡＮ制御回路３４０を介して、チェックアウトされた部屋の無線中継装置１００に送信する（ステップＳ３１０）。なお、アクセスキーの格納は、省略しても良い。
【００５５】
無線中継装置１００において、アクセスキー設定部２０ｅは、有線ＬＡＮ通信制御回路４４を介してアクセスキー変更命令を受信するまで待機しており（ステップＳ４０５）、アクセスキー変更命令を受信すると（ステップＳ４０５：ＹＥＳ）、アクセスキー格納部３０ａに格納されているアクセスキーを、受信したアクセスキー変更命令に含まれている新たなアクセスキーに更新する（ステップＳ４１０）。
【００５６】
以上説明した第１実施形態の制御システム１０によると、無線中継装置１００において、携帯通信端末２００から受信したアクセスキーが正当でない限り、携帯通信端末２００から受信した制御コマンドは、照明装置４００ａまたは空調装置４００ｂに送信（中継）されない。したがって、アクセスキーによって照明装置４００ａおよび空調装置４００ｂの制御の可否を制御することができる。そして、制御システム１０では、宿泊客がチェックアウトして宿泊管理部３１１によりチェックアウト処理が実行されると、無線中継装置１００のアクセスキー格納部３０ａに格納されているアクセスキーが更新される。このため、宿泊客が、チェックアウト後においても継続して照明装置４００ａおよび空調装置４００ｂを制御可能となることを抑制できる。したがって、携帯通信端末２００を照明装置４００ａおよび空調装置４００ｂのリモートコントローラーとして、利用可能な期間を限定して利用者に利用させることができる。また、利用可能な期間の終了を、管理装置３００によって制御できる。
【００５７】
加えて、携帯通信端末２００を無線中継装置１００に近接させるだけで、携帯通信端末２００を照明装置４００ａおよび空調装置４００ｂのリモートコントローラーとして利用させることができる。このため、宿泊客は、簡易に携帯通信端末２００をリモートコントローラーとして利用することができる。また、携帯通信端末２００を無線中継装置１００に近接させることで、制御対象装置（照明装置４００ａおよび空調装置４００ｂ）の制御に必要な装置制御情報を携帯通信端末２００に渡すことができる。したがって、ユーザによって無線中継装置１００に近接され、ユーザがリモートコントローラーとしての使用を意図する携帯通信端末２００のみに装置制御情報を送信することができる。換言すると、ユーザがリモートコントローラーとしての使用を意図しない携帯通信端末に装置制御情報が送信されることを抑制できる。
【００５８】
Ｂ．第２実施形態：
図９は、第２実施形態における装置制御情報の一例を模式的に示す説明図である。図１０は、第２実施形態における遠隔制御処理の手順を示すシーケンス図である。第２実施形態の制御システムは、装置制御情報として管理される内容と、管理装置３００および無線中継装置１００において、アクセスキーと共にパスワードが設定（格納）される点と、遠隔制御処理の具体的な手順とにおいて、第１実施形態の制御システム１０と異なる。第２実施形態の制御システムにおける他の構成およびアクセスキー変更処理の手順は、第１実施形態と同じであるので、同一の構成要素および手順については、第１実施形態と同一の符号を付し、その詳細な説明は省略する。なお、図示は省略するが、第２実施形態の部屋Ｒ１には、照明装置４００ａおよび空調装置４００ｂと共に、テレビ受像機が配置されており、かかるテレビ受像機も携帯通信端末２００により制御可能となり得る。
【００５９】
第１実施形態の制御システム１０では、同一の部屋Ｒ１の宿泊客が同時に複数存在する場合、いずれの宿泊客の携帯通信端末２００による制御対象装置は同じであった。これに対して、第２実施形態の制御システムでは、異なる宿泊客の携帯通信端末２００による制御対象装置を互いに異ならせることができる。
【００６０】
図９に示すように、第２実施形態の装置制御情報には、Ｎｏ．３として、テレビ受像機の装置制御情報が設定されている。具体的には、装置種別として「テレビ受像機」が、型番として「ＣＣＣＣＣ」が、制御項目として「動作、チャンネル、および音量」が、それぞれ設定されている。また、制御項目「動作」対しては設定範囲として「ＯＮ」と「ＯＦＦ」とが設定され、制御項目「チャンネル」に対しては設定範囲として「１〜１５」が設定され、制御項目「音量」に対しては設定範囲として「１〜３０」が設定されている。また、ＴＶ受像機の制御項目「動作」に対しては制御コマンド「ｅｅｅｅ」が設定され、ＴＶ受像機の制御項目「チャンネル」に対しては制御コマンド「ｆｆｆｆ」が設定され、ＴＶ受像機の制御項目「音量」に対しては制御コマンド「ｇｇｇｇ」が設定されている。加えて、図９に示すように、第２実施形態における装置制御情報には、「制御端末」との情報が含まれている。この「制御端末」とは、各装置を制御可能な携帯通信端末を指定する情報である。図９に示すように、Ｎｏ．１（照明装置４００ａ）およびＮｏ．２（空調装置４００ｂ）に対しては、制御端末として「ＡＬＬ（全て）」が設定されている。制御端末が「ＡＬＬ（全て）」とは、いずれの携帯通信端末も、照明装置４００ａおよび空調装置４００ｂを制御可能となり得ることを意味する。他方、Ｎｏ．３（テレビ受像機）に対しては、「プライマリ」が設定されている。制御端末が「プライマリ」とは、プライマリとして承認された携帯通信端末のみがテレビ受像機を制御可能であることを意味する。後述するように、携帯通信端末２００は、前述のアクセスキーに加えてパスワードが正当であると認められた場合に、プライマリとして承認される。
【００６１】
管理装置３００のアクセスキー格納部３３１には、各部屋のアクセスキーと共にパスワードが予め格納されている。同様に、無線中継装置１００のアクセスキー格納部３０ａには、アクセスキーと共にパスワードが予め格納されている。なお、図８に示すアクセスキー変更処理では、アクセスキーのみが更新され、パスワードは更新されない。
【００６２】
図１０に示す第２実施形態の遠隔制御処理は、無線中継装置１００においてステップＳ２０２およびＳ２０５ａを実行する点と、無線中継装置１００においてステップＳ２１５に代えてステップＳ２１５ａを実行する点と、無線中継装置１００においてステップＳ２２０に代えてステップＳ２２０ａを実行する点と、無線中継装置１００においてステップＳ２３０に代えてステップＳ２３０ａを実行する点と、携帯通信端末２００においてステップＳ１１０に代えてステップＳ１１０ａを実行する点と、携帯通信端末２００においてステップＳ１２０に代えてステップＳ１２０ａを実行する点と、携帯通信端末２００においてステップＳ１４５に代えてステップＳ１４５ａを実行する点とにおいて、図６に示す第１実施形態の遠隔制御処理と異なる。第２実施形態の遠隔制御処理における他の手順は、第１実施形態の遠隔制御処理と同じであるので、同一の手順については、第１実施形態と同一の符号を付し、その詳細な説明を省略する。
【００６３】
無線中継装置１００において、アクセスキー送信部２０ｃは、携帯通信端末２００との間で確立されたＮＦＣの通信経路が、アクセスキーの変更（リセット）後において最初に確立された通信経路であるか否かを判定する（ステップＳ２０２）。ステップＳ２０２において、リセット後に最初に確立された通信経路であると判定されると（ステップＳ２０２：ＹＥＳ）、アクセスキー送信部２０ｃは、アクセスキー、パスワードおよび無線接続プロファイルを、ＮＦＣを利用して携帯通信端末２００に送信する（ステップＳ２０５ａ）。これに対して、ステップＳ２０２において、リセット後に最初に確立された通信経路でないと判定されると（ステップＳ２０２：ＮＯ）、前述のステップＳ２０５が実行される。すなわち、アクセスキー送信部２０ｃは、アクセスキーおよび無線接続プロファイルを、ＮＦＣを利用して携帯通信端末２００に送信する（ステップＳ２０５）。
【００６４】
携帯通信端末２００において、アクセスキー制御部２１１は、アクセスキー、パスワードおよび無線接続プロファイルを受信すると、アクセスキーおよびパスワードをアクセスキー格納部２２１に格納すると共に、無線接続プロファイルを無線接続プロファイル格納部２２３に格納する（ステップＳ１１０ａ）。また、アクセスキー制御部２１１は、パスワードを受信せずアクセスキーおよび無線接続プロファイルを受信すると、アクセスキーをアクセスキー格納部２２１に格納すると共に、無線接続プロファイルを無線接続プロファイル格納部２２３に格納する（ステップＳ１１０ａ）。
【００６５】
携帯通信端末２００において、リモートコントローラー部２１３は、ステップＳ１１５が実行された後、受信したアクセスキーまたは受信したアクセスキーおよびパスワードを、無線ＬＡＮ通信制御回路２４２を介して無線中継装置１００に送信する（ステップＳ１２０ａ）。なお、前述のステップＳ２０５が実行された場合（すなわち、アクセスキーおよび無線接続プロファイルが携帯通信端末２００に送信され、パスワードが携帯通信端末２００に送信されなかった場合）、前述のステップＳ１２０ａでは、受信したアクセスキーが送信される。これに対して、前述のステップＳ２０５ａが実行された場合（すなわち、アクセスキー、無線接続プロファイルおよびパスワードが携帯通信端末２００に送信された場合）、前述のステップＳ１２０ａでは、受信したアクセスキーおよびパスワードが送信される。
【００６６】
無線中継装置１００において、アクセスキー受信部２０ｄは、ステップＳ２１０が実行された後、受信したアクセスキーまたは受信したアクセスキーおよびパスワードが正当であるか否かを判定する（ステップＳ２１５ａ）。前述のとおり、無線中継装置１００のアクセスキー格納部３０ａには、アクセスキーと共にパスワードが格納されているので、アクセスキー受信部２０ｄは、かかるパスワードと一致するか否かにより、受信したパスワードが正当であるか否かを判定できる。
【００６７】
前述のステップＳ２１５ａにおいて、受信したアクセスキーまたは受信したアクセスキーおよびパスワードが正当であると判定されると（ステップＳ２１５ａ：ＹＥＳ）、無線中継装置１００の装置制御情報送信部２０ｆは、パスワードの受信の有無に応じた装置制御情報を、携帯通信端末２００に送信する（ステップＳ２２０ａ）。上述したように、ＮＦＣの通信経路がアクセスキーのリセット後における最初に確立された通信経路である場合、携帯通信端末２００は、無線中継装置１００からアクセスキーおよびパスワードを受信するので、ステップＳ１２０ａにおいてパスワードが送信される。これに対して、ＮＦＣの通信経路がアクセスキーのリセット後における２番目以降に確立された通信経路である場合、携帯通信端末２００は、無線中継装置１００からアクセスキーのみを受信してパスワードを受信しないので、ステップＳ１２０ａにおいてアクセスキーのみが送信されてパスワードは送信されない。そして、装置制御情報送信部２０ｆは、アクセスキーと共にパスワードを受信すると、対応する携帯通信端末２００はプライマリであると承認し、「制御端末」として「ＡＬＬ」および「プライマリ」と設定されている装置制御情報を、携帯通信端末２００に送信する。例えば、図９に示す例では、Ｎｏ．１（照明装置４００ａ）、Ｎｏ．２（空調装置４００ｂ）およびＮｏ．３（テレビ受像機）のすべての装置制御情報が、プライマリであると承認された携帯通信端末２００に対して送信される。これに対して、パスワードを受信せずにアクセスキーのみを受信すると、装置制御情報送信部２０ｆは、対応する携帯通信端末２００はプライマリではないと承認し、「制御端末」として「ＡＬＬ」と設定されている装置制御情報のみを、携帯通信端末２００に送信する。例えば、図９に示す例では、Ｎｏ．１（照明装置４００ａ）およびＮｏ．２（空調装置４００ｂ）の装置制御情報が、プライマリではないと承認された携帯通信端末２００に対して送信される。
【００６８】
このように、プライマリであると承認された携帯通信端末２００と、プライマリではないと承認された携帯通信端末２００とで、無線中継装置１００から受信する装置制御情報が異なるため、ステップＳ１３５においてタッチパネル２３０に表示される操作用画面も互いに異なることとなる。
【００６９】
図１１は、第２実施形態における操作用画面の一例を示す説明図である。図１１（ａ）は、プライマリであると承認された携帯通信端末２００において表示される操作用画面Ｗ１１の一例を示す。図１１（ｂ）は、プライマリではないと承認された携帯通信端末２００において表示される操作用画面Ｗ１の一例を示す。なお、図１１（ｂ）に示す操作用画面Ｗ１は、図７に示す第１実施形態の操作用画面Ｗ１と同じであるので、同一の構成については、第１実施形態と同一の符号を付し、その詳細な説明は省略する。
【００７０】
図１１（ａ）に示す操作用画面Ｗ１１は、対象装置選択ボタンＢ５を備えている点において、図１１（ｂ）に示す操作用画面Ｗ１と異なり、他の構成は操作用画面Ｗ１と同じであるので、同一の構成については、操作用画面Ｗ１と同一の符号を付し、その詳細な説明は省略する。対象装置選択ボタンＢ５は、テレビ受像機を選択するためのボタンである。宿泊客がかかる対象装置選択ボタンＢ５を押下すると、テレビ受像機用の制御画面（図示省略）が表示される。この制御画面では、図９に示すテレビ受像機の制御項目である「動作」、「チャンネル」、「音量」をそれぞれ設定するためのボタン等が表示される。
【００７１】
以上説明した第２実施形態の制御システムは、第１実施形態の制御システム１０と同様な効果を有する。加えて、第２実施形態の制御システムでは、アクセスキーのリセット後に最初に無線中継装置１００とＮＦＣの通信経路を確立した携帯通信端末２００と、その他の携帯通信端末２００とで、制御対象装置を異ならせることができる。したがって、同一の部屋Ｒ１の宿泊客が同時に複数存在する場合、そのうちの１人の携帯通信端末２００のみを、テレビ受像機用のリモートコントローラーとして利用させると共に、他の宿泊客の携帯通信端末２００のテレビ受像機用のリモートコントローラーとしての利用を制限することができる。
【００７２】
Ｃ．第３実施形態：
図１２は、第３実施形態の遠隔制御処理における携帯通信端末２００の処理手順を示すフローチャートである。第３実施形態の制御システムは、遠隔制御処理における携帯通信端末２００の処理手順において、第２実施形態の制御システムと異なり、システム構成、遠隔制御処理における無線中継装置１００の処理手順、およびアクセスキー変更処理の手順は、第２実施形態の制御システムと同じである。
【００７３】
第２実施形態の制御システムでは、アクセスキーのリセット後に最初に無線中継装置１００との間でＮＦＣの通信経路が確立された携帯通信端末２００のみが、プライマリとして承認されていた。これに対して、第３実施形態の制御システムでは、アクセスキーのリセット後において２番目以降に無線中継装置１００との間でＮＦＣの通信経路が確立された携帯通信端末２００も、プライマリとして承認され得る。
【００７４】
図１２に示すように、携帯通信端末２００において、ステップＳ１１５が実行された後、リモートコントローラー部２１３は、ＮＦＣの通信経路を介してパスワードを受信したか否かを判定する（ステップＳ１１６）。ステップＳ１１６において、パスワードを受信していないと判定されると（ステップＳ１１６：ＮＯ）、リモートコントローラー部２１３は、画面生成部２１４を制御して、パスワード入力画面を生成してタッチパネル２３０に表示させる（ステップＳ１１７）。
【００７５】
図１３は、図１２に示すステップＳ１１７においてタッチパネル２３０に表示されるパスワード入力画面Ｗ２１の一例を示す説明図である。図１３に示すように、パスワード入力画面Ｗ２１には、「パスワードを入力してください」との文字列が表わされていると共に、パスワード入力欄Ｂ１０と、ＯＫボタンＢ１１と、キャンセルボタンＢ１２とが表示されている。
【００７６】
上述した第２実施形態において説明したとおり、アクセスキーのリセット後に最初に無線中継装置１００との間でＮＦＣの通信経路が確立された携帯通信端末２００のみが、無線中継装置１００からパスワードを受信し、２番目以降に無線中継装置１００との間でＮＦＣの通信経路が確立された携帯通信端末２００は、無線中継装置１００からパスワードを受信しない。しかしながら、チェックインの際またはチェックインよりも前に、プライマリの携帯通信端末２００を所持する宿泊客（以下、便宜上「プライマリ客」と呼ぶ）に対してパスワードが通知されていると、プライマリ客は、プライマリの携帯通信端末２００とは異なる携帯通信端末２００を所持する宿泊客（以下、便宜上「セカンダリ客」と呼ぶ）に対して、パスワードを通知することができる。このようにして、プライマリ客からパスワードを通知されたセカンダリ客は、図１３のパスワード入力画面Ｗ２１において、通知されたパスワードを入力することができる。もちろん、プライマリ客はセカンダリ客にパスワードを通知しないこともでき、この場合、セカンダリ客は、パスワード入力画面Ｗ２１においてパスワードを入力できない。
【００７７】
図１２に示すように、前述のステップＳ１１７が実行された後、リモートコントローラー部２１３は、パスワード入力画面Ｗ２１においてパスワードの入力が有ったか否かを判定する（ステップＳ１１８）。ステップＳ１１８においてパスワードの入力が無かったと判定されると（ステップＳ１１８：ＮＯ）、前述のステップＳ１２０が実行される。つまり、リモートコントローラー部２１３は、無線中継装置１００から受信したアクセスキーを、無線ＬＡＮ通信制御回路２４２を介して無線中継装置１００に送信する。これに対して、ステップＳ１１８においてパスワードの入力が有ったと判定されると（ステップＳ１１８：ＹＥＳ）、リモートコントローラー部２１３は、無線ＬＡＮ通信制御回路２４２を介してアクセスキーとパスワードとを無線中継装置１００に送信する（ステップＳ１２０ｂ）。なお、前述のステップＳ１１６においてパスワードを受信していると判定された場合も（ステップＳ１１６：ＹＥＳ）、前述のステップＳ１２０ｂが実行される。
【００７８】
ステップＳ１２０またはステップＳ１２０ｂが実行された後、携帯通信端末２００では、上述したステップＳ１２５〜Ｓ１６０が実行される。したがって、パスワード入力画面Ｗ２１からパスワードが入力された携帯通信端末２００（セカンダリ客の携帯通信端末２００）は、無線中継装置１００においてプライマリとして承認される。このため、セカンダリ客の携帯通信端末２００においても、図１１の上段に示す操作用画面Ｗ１１が表示され、セカンダリ客は、テレビ受像機を制御することができる。
【００７９】
以上説明した第３実施形態の制御システムは、第２実施形態の制御システムと同様の効果を有する。また、第３実施形態の制御システムでは、アクセスキーのリセット後において２番目以降に無線中継装置１００との間でＮＦＣの通信経路が確立された携帯通信端末２００（セカンダリ客の携帯通信端末２００）において、パスワード入力画面Ｗ２１を表示し、かかるパスワード入力画面Ｗ２１にパスワードが入力された場合には、かかるパスワードをアクセスキーと共に無線中継装置１００に送信する。このため、セカンダリ客の携帯通信端末２００の制御対象装置を、プライマリ客の携帯通信端末２００の制御対象装置と同じにすることができる。
【００８０】
Ｄ．第４実施形態：
図１４は、第４実施形態における制御システム１０ａの概略構成を示す説明図である。制御システム１０ａは、２台の無線ＬＡＮリピータ１５１，１５２を備えている点において、第１実施形態の制御システム１０と異なり、他の構成は、第１実施形態の制御システム１０と同じである。２台の無線ＬＡＮリピータ１５１，１５２は、いずれも、有線ＬＡＮ通信制御回路４４を備えていない点において、図２に示す無線中継装置１００と異なり、他の構成は、無線中継装置１００と同じである。２台の無線ＬＡＮリピータ１５１，１５２および無線中継装置１００は、いずれもＷＤＳ（Wireless Distribution System）機能を有しており、無線ＬＡＮリピータ１５１と無線中継装置１００との間、および無線ＬＡＮリピータ１５２と無線中継装置１００との間において、それぞれ互いに無線通信を行なうことができる。制御システム１０ａでは、２台の無線ＬＡＮリピータ１５１，１５２は、無線中継装置１００と同様に、それぞれ遠隔制御処理およびアクセスキー変更処理を実行する。第４実施形態のアクセスキー変更処理では、２台の無線ＬＡＮリピータ１５１，１５２は、ホテル内ＬＡＮ１５および無線中継装置１００を介して、管理装置３００からアクセスキー変更命令を受信する。
【００８１】
図１４の例では、ホテルの或る部屋Ｒ１００に１台の無線中継装置１００と２台の無線ＬＡＮリピータ１５１，１５２とが配置されている。より具体的には、部屋Ｒ１００は、リビングルームＲ１０と、第１の小部屋Ｒ１１と、第２の小部屋Ｒ１２とから構成されており、無線中継装置１００はリビングルームＲ１０に配置されており、無線ＬＡＮリピータ１５１は第１の小部屋Ｒ１１に配置されており、無線ＬＡＮリピータ１５２は第２の小部屋Ｒ１２に配置されている。リビングルームＲ１０には、第１実施形態の部屋Ｒ１に配置されていた照明装置４００ａおよび空調装置４００ｂと同じ照明装置４００ａおよび空調装置４００ｂが配置されている。第１の小部屋Ｒ１１には、照明装置４００ｃが配置されている。また、第２の小部屋Ｒ１２には、照明装置４００ｄが配置されている。これら２つの照明装置４００ｃ，４００ｄは、いずれもリビングルームＲ１０の照明装置４００ａと同じ構成を有するので、詳細な説明を省略する。
【００８２】
第４実施形態では、部屋Ｒ１００に複数の宿泊客がチェックインした場合、リビングルームＲ１０の照明装置４００ａおよび空調装置４００ｂは、すべての宿泊客の携帯通信端末により遠隔制御が可能となり、２つの小部屋Ｒ１１，Ｒ１２の照明装置４００ｃ，４００ｄは、プライマリと承認された携帯通信端末のみにより遠隔制御可能となる。より具体的には、図１４の例では、リビングルームＲ１０の照明装置４００ａおよび空調装置４００ｂは、部屋Ｒ１００にチェックインした３名の宿泊客の３台の携帯通信端末２００，２０１，２０２により制御可能となる。これに対して、第１の小部屋Ｒ１１の照明装置４００ｃは、無線ＬＡＮリピータ１５１に最初に近接させてプライマリとして承認された携帯通信端末２０１のみにより制御可能となる。また、第２の小部屋Ｒ１２の照明装置４００ｄは、無線ＬＡＮリピータ１５２に最初に近接させてプライマリとして承認された携帯通信端末２０２のみにより制御可能となる。すなわち、携帯通信端末２０１のユーザは、携帯通信端末２０１を無線中継装置１００に近接させることにより、携帯通信端末２０１をリビングルームＲ１０の制御対象装置（照明装置４００ａおよび空調装置４００ｂ）用のリモコンとして利用することができ、また、携帯通信端末２０１を無線ＬＡＮリピータ１５１に最初に近接させることにより、携帯通信端末２０１を第１の小部屋Ｒ１１の制御対象装置（照明装置４００ｃ）用のリモコンとして利用することができる。同様に、携帯通信端末２０２のユーザは、携帯通信端末２０２を無線中継装置１００に近接させることにより、携帯通信端末２０２をリビングルームＲ１０の制御対象装置（照明装置４００ａおよび空調装置４００ｂ）用のリモコンとして利用することができ、また、携帯通信端末２０２を無線ＬＡＮリピータ１５２に最初に近接させることにより、携帯通信端末２０２を第２の小部屋Ｒ１２の制御対象装置（照明装置４００ｄ）用のリモコンとして利用することができる。なお、３台の携帯通信端末２００，２０１，２０２は、いずれも第１実施形態の携帯通信端末２００と同じ構成を有し、同様のリモートコントローラーアプリケーションを動作させるので、詳細な説明を省略する。
【００８３】
図１５は、第４実施形態の遠隔制御処理における２台の無線ＬＡＮリピータ１５１，１５２の処理手順を示すフローチャートである。無線中継装置１００および携帯通信端末２００により実行される遠隔制御処理の手順は、図６に示す第１実施形態における手順と同じであるので、詳細な説明を省略する。また、遠隔制御処理における２台の携帯通信端末２０１，２０２の処理手順は、図６に示す第１実施形態における携帯通信端末２００の処理手順と同じであるので、詳細な説明を省略する。
【００８４】
図１５に示す第４実施形態における２台の無線ＬＡＮリピータ１５１，１５２の処理手順は、ステップＳ２０２を実行する点において、図６に示す第１実施形態における無線中継装置１００の処理手順と異なる。２台の無線ＬＡＮリピータ１５１，１５２におけるその他の処理手順は、図６に示す第１実施形態における無線中継装置１００の処理手順と同じであるので、同一の処理手順については、同一の符号を付し、その詳細な説明は省略する。なお、２台の無線ＬＡＮリピータ１５１，１５２の処理手順は、互いに同じであるので、以下では、無線ＬＡＮリピータ１５１を代表して説明する。
【００８５】
無線ＬＡＮリピータ１５１において、アクセスキー送信部２０ｃは、携帯通信端末２０１との間で確立されたＮＦＣの通信経路が、アクセスキーの変更（リセット）後において最初に確立された通信経路であるか否かを判定する（ステップＳ２０２）。ステップＳ２０２においてリセット後に最初に確立された通信経路であると判定されると（ステップＳ２０２：ＹＥＳ）、前述のステップＳ２０５〜Ｓ２４０が実行される。これに対して、ステップＳ２０２において、リセット後に最初に確立された通信経路でないと判定されると（ステップＳ２０２：ＮＯ）、遠隔制御処理は終了する。したがって、第１の小部屋Ｒ１１においては、無線ＬＡＮリピータ１５１との間で最初にＮＦＣの通信経路を確立した携帯通信端末２０１のみが、照明装置４００ｃのリモートコントローラーとして利用可能となる。同様に、第２の小部屋Ｒ１２においては、無線ＬＡＮリピータ１５２との間で最初にＮＦＣの通信経路を確立した携帯通信端末２０２のみが、照明装置４００ｄのリモートコントローラーとして利用可能となる。
【００８６】
以上説明した第４実施形態の制御システム１０ａは、第１実施形態の制御システム１０と同様の効果を有する。加えて、第４実施形態の制御システム１０ａによると、同じ部屋Ｒ１００において、リビングルームＲ１０では、すべての携帯通信端末２００，２０１，２０２をリモートコントローラーとして利用することができ、２つの小部屋Ｒ１１，Ｒ１２では、それぞれ１台の携帯通信端末（携帯通信端末２０１または携帯通信端末２０２）のみをリモートコントローラーとして利用することができる。したがって、部屋Ｒ１００の利用シーンに応じて、リモートコントローラーとして利用できる携帯通信端末を制限することができる。
【００８７】
Ｅ．第５実施形態：
図１６は、第５実施形態の遠隔制御処理における２台の無線ＬＡＮリピータ１５１，１５２の処理手順を示すフローチャートである。図１７は、第５実施形態の遠隔制御処理における無線中継装置１００の処理手順を示すフローチャートである。第５実施形態の制御システムのシステム構成は、上述した第４実施形態の制御システム１０ａのシステム構成と同じであるので、同一の構成には同じ符号を付し、その詳細な説明を省略する。
【００８８】
上述した第４実施形態では、携帯通信端末２０１または携帯通信端末２０２によりリビングルームＲ１０内の制御対象装置（照明装置４００ａおよび空調装置４００ｂ）を制御する場合、携帯通信端末２０１または携帯通信端末２０２から出力されたアクセスキーおよび制御コマンドは、無線中継装置１００が直接受信していた。また、携帯通信端末２０１により第１の小部屋Ｒ１１内の照明装置４００ｃを制御する場合、携帯通信端末２０１から出力されたアクセスキーおよび制御コマンドは、無線ＬＡＮリピータ１５１が直接受信していた。同様に、携帯通信端末２０２により第２の小部屋Ｒ１２内の照明装置４００ｄを制御する場合、携帯通信端末２０２から出力されたアクセスキーおよび制御コマンドは、無線ＬＡＮリピータ１５２が直接受信していた。これに対して、第５実施形態では、無線中継装置１００は、携帯通信端末２０１または携帯通信端末２０２から出力されたアクセスキーおよび制御コマンドを、無線ＬＡＮリピータ１５１または無線ＬＡＮリピータ１５２を介して受信することができる。また、無線ＬＡＮリピータ１５１または無線ＬＡＮリピータ１５２は、携帯通信端末２０１または携帯通信端末２０２から出力されたアクセスキーおよび制御コマンドを、無線中継装置１００を介して受信することができる。例えば、携帯通信端末２０１のユーザが第１の小部屋Ｒ１１において、リビングルームＲ１０の空調装置４００ｂを制御するために携帯通信端末２０１を操作すると、空調装置４００ｂを制御するための制御コマンドとアクセスキーとが、無線ＬＡＮリピータ１５１を介して無線中継装置１００に送信される。
【００８９】
以降では、無線ＬＡＮリピータ１５１および無線ＬＡＮリピータ１５２がＮＦＣを利用して送信するアクセスキー（第１の小部屋Ｒ１１用のアクセスキーおよび第２の小部屋Ｒ１２用のアクセスキー）をそれぞれ「個別キー」と呼び、無線中継装置１００がＮＦＣを利用して送信するアクセスキー（リビングルームＲ１０用のアクセスキー）を「共通キー」と呼ぶ。本実施形態では、無線中継装置１００および２台の無線ＬＡＮリピータ１５１，１５２には、いずれも、第１の小部屋Ｒ１１用の個別キーと、第２の小部屋Ｒ１２用の個別キーと、リビングルームＲ１０用の共通キーとが予めそれぞれの装置に対応付けて記憶されている。
【００９０】
図１６に示すフローチャートは、ステップＳ２３１、Ｓ２３２、Ｓ２３３、およびＳ２３４が追加して実行される点において、図１５に示す第４実施形態のフローチャートと異なる。他の手順については、第４実施形態のフローチャートと同じであるので、同一の手順には同じ符号を付し、その詳細な説明を省略する。
【００９１】
２台の無線ＬＡＮリピータ１５１，１５２においてアクセスキーおよび制御コマンドを受信する場合として、上述したように、携帯通信端末２０１または携帯通信端末２０２から直接受信する場合と、無線中継装置１００を介して（無線中継装置１００により中継されて）受信する場合とが存在する。したがって、ステップＳ２２５では、上述の２つの場合のいずれにおいても、受信された（ステップＳ２２５：ＹＥＳ）と判定される。また、上述のように、２台の無線ＬＡＮリピータ１５１，１５２には、予め各個別キーおよび共通キーが記憶されているので、ステップＳ２３０では、ステップＳ２２５において受信したアクセスキーが正当であるか否かを、記憶されているキーと対照することにより判定される。
【００９２】
受信したアクセスキーが正当であると判定されると（ステップＳ２３０：ＹＥＳ）、制御コマンド中継部２０ｂは、受信したアクセスキーが自らの部屋用の個別キーであるか否かを判定する（ステップＳ２３１）。受信したアクセスキーが自らの部屋用の個別キーであると判定されると（ステップＳ２３１：ＹＥＳ）、上述したステップＳ２３５，Ｓ２４０が実行される。なお、アクセスキーおよび制御コマンドが無線中継装置１００から中継されて受信している場合には、ステップＳ２４０における制御完了報告の送信は、携帯通信端末２０１または携帯通信端末２０２を宛先とせず、無線中継装置１００を宛先とする。同様に、ステップＳ２４５におけるエラー報告の送信も、携帯通信端末２０１または携帯通信端末２０２を宛先とせず、無線中継装置１００を宛先とする。
【００９３】
上述のステップＳ２３１において、受信したアクセスキーが自らの部屋用の個別キーでないと判定されると（ステップＳ２３１：ＮＯ）、制御コマンド中継部２０ｂは、受信したアクセスキーおよび制御コマンドを無線中継装置１００に中継する（ステップＳ２３２）。無線中継装置１００では、後述するように、無線ＬＡＮリピータ１５１または無線ＬＡＮリピータ１５２により中継されるアクセスキーおよび制御コマンドを受信すると、ステップＳ２３５〜Ｓ２４５が実行される。その結果、無線中継装置１００は、制御完了報告またはエラー報告を、アクセスキーおよび制御コマンドの送信元である無線ＬＡＮリピータ１５１または無線ＬＡＮリピータ１５２に送信する。
【００９４】
上述のステップＳ２３２の実行後、制御コマンド中継部２０ｂは、無線中継装置１００から制御完了報告またはエラー報告を受信するまで待機し（ステップＳ２３３）、制御完了報告またはエラー報告を受信すると（ステップＳ２３３：ＹＥＳ）、受信した報告を、アクセスキーおよび制御コマンドの送信元である携帯通信端末２０１または携帯通信端末２０２に送信する（ステップＳ２３４）。このようにして、携帯通信端末２０１および携帯通信端末２０２からリビングルームＲ１０の照明装置４００ａおよび空調装置４００ｂを制御する際に、アクセスキー（共通キー）および制御コマンドは無線ＬＡＮリピータ１５１または無線ＬＡＮリピータ１５２により中継されて無線中継装置１００に届き、無線中継装置１００から照明装置４００ａおよび空調装置４００ｂに届く。また、無線中継装置１００から出力された制御完了報告またはエラー報告は、無線ＬＡＮリピータ１５１または無線ＬＡＮリピータ１５２により中継されて携帯通信端末２０１および携帯通信端末２０２に届く。
【００９５】
図１７に示す無線中継装置１００における遠隔制御処理の手順は、ステップＳ２３１に代えてステップＳ２３１ａが実行される点と、ステップＳ２３２に代えてステップＳ２３２ａが実行される点とにおいて、図１６に示す２台の無線ＬＡＮリピータ１５１，１５２における遠隔制御処理の手順と異なる。他の手順は、図１６に示す手順と同じであるので、同一の手順には同じ符号を付し、その詳細な説明を省略する。
【００９６】
なお、ステップＳ２２５において、アクセスキーおよび制御コマンドを受信する場合として、携帯通信端末２００，２０１，２０２から直接受信する場合と、無線ＬＡＮリピータ１５１または無線ＬＡＮリピータ１５２を介して（無線ＬＡＮリピータ１５１または無線ＬＡＮリピータ１５２により中継されて）受信する場合とが存在する。したがって、ステップＳ２２５では、上述の２つの場合のいずれにおいても、受信された（ステップＳ２２５：ＹＥＳ）と判定される。また、上述のように、無線中継装置１００には、予め各個別キーおよび共通キーが記憶されているので、ステップＳ２３０では、ステップＳ２２５において受信したアクセスキーが正当であるか否かを、記憶されているキーと対照することにより判定される。
【００９７】
受信したアクセスキーが正当であると判定されると（ステップＳ２３０：ＹＥＳ）、制御コマンド中継部２０ｂは、受信したアクセスキーがリビングルームＲ１０用の共通キーであるか否かを判定する（ステップＳ２３１ａ）。受信したアクセスキーがリビングルームＲ１０用の共通キーであると判定されると（ステップＳ２３１ａ：ＹＥＳ）、上述のステップＳ２３５，Ｓ２４０が実行される。なお、アクセスキーおよび制御コマンドが無線ＬＡＮリピータ１５１または無線ＬＡＮリピータ１５２から中継されて受信している場合には、ステップＳ２４０における制御完了報告の送信は、携帯通信端末２００，２０１，２０２を宛先とせず、アクセスキーおよび制御コマンドの送信元である無線ＬＡＮリピータ１５１または無線ＬＡＮリピータ１５２を宛先とする。同様に、ステップＳ２４５におけるエラー報告の送信も、携帯通信端末２００，２０１，２０２を宛先とせず、アクセスキーおよび制御コマンドの送信元である無線ＬＡＮリピータ１５１または無線ＬＡＮリピータ１５２を宛先とする。
【００９８】
上述のステップＳ２３１ａにおいて、受信したアクセスキーがリビングルームＲ１０用の共通キーでないと判定されると（ステップＳ２３１ａ：ＮＯ）、制御コマンド中継部２０ｂは、受信したアクセスキーおよび制御コマンドを無線ＬＡＮリピータ１５１または無線ＬＡＮリピータ１５２に中継する（ステップＳ２３２ａ）。ステップＳ２３０においてアクセスキーの正当性を判定した際に、判定対象のアクセスキーが個別キーであると判定されると、その個別キーがどの無線ＬＡＮリピータに対応付けられているかを特定する。そして、ステップＳ２３２ａでは、この特定された無線ＬＡＮリピータに対して、アクセスキーおよび制御コマンドを中継する。
【００９９】
上述のように、無線ＬＡＮリピータ１５１および無線ＬＡＮリピータ１５２では、無線中継装置１００経由でアクセスキーおよび制御コマンドを受信した場合、制御完了報告またはエラー報告を無線中継装置１００に送信する。したがって、ステップＳ２３３では、無線中継装置１００の制御コマンド中継部２０ｂは、かかる制御完了報告またはエラー報告を受信するまで待機して、受信した場合には、上述のステップＳ２３４を実行する。このようにして、携帯通信端末２０１から第１の小部屋Ｒ１１内の照明装置４００ｃを制御する際に、アクセスキー（個別キー）および制御コマンドは無線中継装置１００により中継されて無線ＬＡＮリピータ１５１に届き、無線ＬＡＮリピータ１５１から照明装置４００ｃに届く。同様に、携帯通信端末２０２から第２の小部屋Ｒ１２内の照明装置４００ｄを制御する際に、アクセスキー（個別キー）および制御コマンドは無線中継装置１００により中継されて無線ＬＡＮリピータ１５２に届き、無線ＬＡＮリピータ１５２から照明装置４００ｄに届く。また、無線ＬＡＮリピータ１５１または無線ＬＡＮリピータ１５２から出力された制御完了報告またはエラー報告は、無線中継装置１００により中継されて携帯通信端末２０１および携帯通信端末２０２に届く。
【０１００】
以上説明した第５実施形態の制御システム１０ａは、第４実施形態の制御システム１０ａと同様の効果を有する。加えて、２台の無線ＬＡＮリピータ１５１，１５２と無線中継装置１００との間において、アクセスキーおよび制御コマンドの双方向の中継が行なわれるので、例えば、携帯通信端末２０１が第１の小部屋Ｒ１１内に存在し、携帯通信端末２０１と無線中継装置１００との間の無線接続は不可能であるが、携帯通信端末２０１と無線ＬＡＮリピータ１５１との間の無線接続は可能である状況において、携帯通信端末２０１を用いてリビングルームＲ１０内の制御対象装置（照明装置４００ａおよび空調装置４００ｂ）を制御することができる。
【０１０１】
Ｆ．変形例：
Ｆ−１．変形例１：
上述した各実施形態における制御システム１０，１０ａの構成は、あくまでも一例であり、種々変更可能である。例えば、各実施形態において、ホテル内ＬＡＮ１５は、有線ＬＡＮであったが、有線ＬＡＮに代えて、無線ＬＡＮであってもよい。また、各実施形態において、無線中継装置１００と携帯通信端末２００との間、携帯通信端末２０１と無線ＬＡＮリピータ１５１との間、および携帯通信端末２０２と無線ＬＡＮリピータ１５２との間の通信は、ＮＦＣを利用した近接無線通信であったが、近接無線通信に代えて、近接無線通信よりも最大通信距離が若干長い（最大１００ｍ程度の）近距離無線通信を採用してもよい。このような無線通信として、例えば、Ｂｌｕｅｔｏｏｔｈ（登録商標）を採用してもよい。また、各実施形態において、無線中継装置１００と、照明装置４００ａ，４００ｃ，４００ｄや空調装置４００ｂとの間の通信は、無線通信であったが、有線通信としてもよい。具体的には、例えば、ＩＥＥＥ８０２．３規格群で規定されている各種有線ＬＡＮや、Ｅｔｈｅｒｎｅｔ（登録商標）や、ＰＬＣなどの通信方式の有線通信を採用してもよい。この構成においても、ＥＣＯＮＥＴ  Ｌｉｔｅに準拠した通信方式が好ましい。また、各実施形態において、携帯通信端末２００は、いわゆるスマートフォンであったが、スマートフォンに代えて、タブレットＰＣや、ノート型ＰＣや、携帯ゲーム機などの通信機能を備えた任意の携帯端末であってもよい。また、管理装置３００は、ノート型ＰＣにより構成されていたが、デスクトップ型ＰＣや、専用コンピューターであってもよい。また、無線ＬＡＮ通信制御回路４２，２４２は、ＩＥＥＥ８０２．１１ａ／ｂ／ｇ／ｎ／ａｃに準拠した無線ＬＡＮに限らず、将来的に利用可能となる無線ＬＡＮ一般により無線通信を行う無線通信インターフェイスであるとしてもよい。また、移動体通信制御回路２４３は、３Ｇ／ＨＳＰＡに準拠した移動体通信に限らず、例えばＬＴＥ（Long Term Evolution）や次世代モバイルＷｉＭＡＸ（ＩＥＥＥ８０２．１６ｍ）、次世代ＰＨＳ（ＸＧＰ：eXtended Global Platform）といった将来的に利用可能となる移動体通信一般により無線通信を行う無線通信インターフェイスであるとしてもよい。
【０１０２】
Ｆ−２．変形例２：
第１，４実施形態における制御対象装置は、照明装置および空調装置であり、第２，３実施形態における制御対象装置は、照明装置、空調装置およびテレビ受像機であったが、これらの装置に限らず、冷蔵庫や、ラジオ受信機や、ＤＶＤプレーヤー等の各種メディアプレーヤーなど、遠隔制御可能な任意の装置を、制御対象装置としてもよい。また、各実施形態における制御対象装置の制御項目および設定範囲も、図３または図９に記載の制御項目および設定範囲に限定されるものではない。
【０１０３】
Ｆ−３．変形例３：
各実施形態において無線中継装置１００と携帯通信端末２００との間における制御コマンドのやりとりは、無線ＬＡＮを介して実行されていたが、本発明はこれに限定されるものではない。例えば、ホテル内ＬＡＮ１５を、図示しないゲートウェイ装置を介して通信事業者のネットワークに接続させ、かかるネットワークと、携帯通信端末２００の移動体通信制御回路２４３が接続可能な移動体通信事業者のネットワークとを介して、制御コマンドのやりとりを実行してもよい。こうすれば、ネットワーク越しに各装置を制御することが可能となる。
【０１０４】
Ｆ−４．変形例４：
各実施形態のアクセスキー変更処理では、管理装置３００から無線中継装置１００に新たなアクセスキーを送っていたが、本発明はこれに限定されるものではない。例えば、管理装置３００から無線中継装置１００にアクセスキー変更命令のみを送信し、無線中継装置１００において所定のルールにしたがって、新たなアクセスキーを生成して更新してもよい。この構成においては、無線中継装置１００から管理装置３００に更新後の新たなアクセスキーを送信し、管理装置３００においてアクセスキー格納部３３１に格納されているアクセスキーを更新してもよい。
【０１０５】
Ｆ−５．変形例５：
第３実施形態では、プライマリ客は、チェックインの際またはチェックインとは異なるタイミングでパスワードが通知されていたが、本発明は、これに限定されるものではない。プライマリと承認された携帯通信端末２００において、無線中継装置１００からアクセスキーおよび無線通信プロファイルと共にパスワードを受信すると、受信したパスワードをタッチパネル２３０に表示させてもよい。この構成では、プライマリ客は、タッチパネル２３０を見ることによりパスワードを知ることができるので、かかるパスワードをセカンダリ客に教えることができる。したがって、この構成においては、チェックインの際またはチェックインとは異なるタイミングで、プライマリ客にパスワードを通知することを要しない。
【０１０６】
Ｆ−６．変形例６：
第１実施形態の遠隔制御処理において、無線中継装置１００におけるアクセスキーの正当性の判定（ステップＳ２１５）は、携帯通信端末２００から受信したアクセスキーとアクセスキー格納部３０ａに格納されているアクセスキーとを比較することにより実行されていたが、本発明はこれに限定されるものではない。例えば、以下のような構成を採用してもよい。すなわち、携帯通信端末２００と無線中継装置１００とに予め共通の演算式を設定しておき、携帯通信端末２００では、ＮＦＣにより無線中継装置１００から受信したアクセスキーを用いて前述の演算式により演算を行なって得られた値を無線中継装置１００に送信する。無線中継装置１００では、携帯通信端末２００に送信したアクセスキーを用いて前述の演算式により演算を行なって得られた値と、携帯通信端末２００から受信した値とを比較することにより、携帯通信端末２００の有するアクセスキーの正当性を判定してもよい。このような構成により、悪意者が電波の盗聴等により不正にアクセスキーを入手しても、かかる悪意者に制御対象装置の制御を行なわせないようにすることができる。
【０１０７】
Ｆ−７．変形例７：
第１，４実施形態において、装置制御情報は、装置種別と、型番と、制御項目と、設定範囲と、制御コマンドから構成されていた。また、第２，３実施形態において、装置制御情報は、制御端末と、装置種別と、型番と、制御項目と、設定範囲と、制御コマンドから構成されていた。しかしながら、本発明における装置制御情報は、これらの情報に限定されるものではない。例えば、携帯通信端末２００，２０１，２０２のリモートコントローラーアプリケーションに、予め、装置種別および型番に対応付けて、他の情報（例えば、第１，４実施形態における制御項目、設定範囲、および制御コマンド）を記憶させておくことにより、装置制御情報を装置種別および型番のみにより構成できる。この構成では、近接無線通信により無線中継装置１００から携帯通信端末２００，２０１，２０２に、装置種別および型番が通知されることにより、携帯通信端末２００，２０１，２０２では、制御対象装置を特定できると共に、かかる制御対象装置を制御する際に用いるべき制御コマンドを特定できる。また、例えば、制御システム１０，１０ａにおいて制御対象装置の設定項目が１種類であり、かつ、制御コマンドも１種類であれば、装置制御情報から、装置種別、制御項目、および制御コマンドを省略できる。また、制御項目に対して１種類の制御コマンドしか存在しない場合には、制御項目と制御コマンドとのうち、いずれか一方を省略できる。なお、かかる構成において、制御項目を省略する場合には、装置制御情報に含まれる制御コマンドは、請求項における「制御対象装置における制御可能な項目を示す情報」に相当する。すなわち、一般には、装置種別と、制御項目と、設定範囲とのうちの少なくとも１つを含む任意の情報を、装置制御情報に採用してもよい。
【０１０８】
Ｆ−８．変形例８：
各実施形態において、管理装置３００を省略してもよい。この場合、無線中継装置１００、無線ＬＡＮリピータ１５１、および無線ＬＡＮリピータ１５２において、アクセスキー設定部２０ｅが自律的にアクセスキーを変更する構成を採用することが好ましい。具体的には、例えば、アクセスキー設定部２０ｅが毎日正午に日付データを暗号化したデータを含む情報を、新たなアクセスキーとして生成してアクセスキー格納部３０ａに記憶（上書き）する構成を採用してもよい。このようにすることで、正午以降にチェックインした次の宿泊客の携帯通信端末２００，２０１，２０２に対して、前の宿泊客の携帯通信端末２００，２０１，２０２に設定したアクセスキーとは異なるアクセスキーを設定することができる。こうした自律的なアクセスの変更は、例えばＮＦＣの通信経路が確立される度に行なうものとしても良い。
【０１０９】
Ｆ−９．変形例９：
各実施形態において、アクセスキーは、所定桁数の数字および文字からなる情報であったが、本発明は、これに限定されるものではない。例えば、変形例８において上述した日付のほか、時刻や部屋番号といったアクセスキーの有効期限や有効範囲を制限するための任意の情報を、アクセスキーに含めてもよい。また、アクセスキーとして、ＲＣ４やＡＥＳ等の暗号化方法により暗号化された情報を採用してもよい。
【０１１０】
Ｆ−１０．変形例１０：
各実施例において、無線中継装置１００および無線ＬＡＮリピータ１５１，１５２の装置制御情報格納部３０ｂには、予め照明装置４００ａ等の制御対象装置の装置制御情報が、システム管理者により格納されていたが、本発明は、これに限定されるものではない。例えば、予め管理装置３００において、各部屋に設置されている制御対象装置に関する情報と、該当の制御対象装置を制御するための制御コマンドとが設定されており、各部屋に無線中継装置１００が設置された際に、管理装置３００から無線中継装置１００に、制御対象装置に関する情報と制御コマンドとを送信し、無線中継装置１００において受信した情報を、装置制御情報として格納する構成を採用してもよい。なお、上記構成において、管理装置３００は、制御対象装置を制御するための制御コマンドを、インターネット上のサーバ装置から取得してもよい。また、装置制御情報は、制御対象である照明装置４００ａなどから、赤外通信や無線通信などにより、携帯通信端末２００が、直接取得するものとしても良い。
【０１１１】
Ｆ−１１．変形例１１：
各実施形態の遠隔制御処理では、制御コマンドを照明装置４００ａ等の制御対象装置に送信した後（ステップＳ２３５の後）に、（自動的に）制御完了報告を携帯通信端末２００，２０１，２０２に送信していたが（ステップＳ２４０）、本発明は、これに限定されるものではない。例えば、ステップＳ２３５の後に照明装置４００ａ或いは空調装置４００ｂから肯定応答（ＡＣＫ）を受信した場合にステップＳ２４０を実行し、ステップＳ２３５実行してから所定期間内に肯定応答を受信しない場合又は否定応答（ＮＡＣＫ）を受信した場合には、ステップＳ２３５に代えて、上述のステップＳ２４５（エラー報告の送信）を実行してもよい。なお、エラー報告では、アクセスキーが正当でない場合と、制御対象装置から所定期間内にＡＣＫを受信しない場合およびＮＡＣＫを受信した場合とで、異なる内容を報告してもよい。このようにすることで、ステップＳ１５５において、携帯通信端末２００，２０１，２０２において、エラー原因を識別可能にタッチパネル２３０に表示させることができる。
【０１１２】
Ｆ−１２．変形例１２：
第２実施形態では、アクセスキー、パスワードおよび無線接続プロファイルを、ＮＦＣを利用して携帯通信端末２００に送信するか否かは、ＮＦＣの通信経路が、アクセスキーの変更後に最初に確立された通信経路であるか否かの判定結果に応じて決定していたが、本発明は、これに限定されるものではない。例えば、ホテルのフロントにおいて、宿泊客（グループ）がチェックインする際に、代表者の携帯通信端末２００をプライマリとして管理装置３００に登録し、かかる携帯通信端末２００の固有識別番号を、ホテル内ＬＡＮ１５経由で、宿泊する予定の部屋の無線中継装置１００に予め送信しておく。その後、部屋に入った宿泊客の携帯通信端末２００が、無線中継装置１００に近接された際に、当該携帯通信端末２００の固有識別番号が、予め受信している代表者の携帯通信端末２００の固有識別番号と一致するか否かを判定する。そして、固有識別番号が一致した場合に、アクセスキー、パスワードおよび無線接続プロファイルを、ＮＦＣを利用して携帯通信端末２００に送信し、一致しない場合には、アクセスキー等を送信しない構成（または、アクセスキーおよび無線接続プロファイルのみ送信する構成）としてもよい。
【０１１３】
Ｆ−１３．変形例１３：
第４実施形態では、携帯通信端末２０１は、無線中継装置１００に近接することにより、リビングルームＲ１０の制御対象装置（照明装置４００ａおよび空調装置４００ｂ）用のリモコンとして動作し、無線ＬＡＮリピータ１５１に最初に近接することにより、第１の小部屋Ｒ１１の制御対象装置（照明装置４００ｃ）用のリモコンとして動作していたが、本発明は、これに限定されるものではない。例えば、以下のような構成を採用してもよい。まず、予め無線ＬＡＮリピータ１５１に、第１の小部屋Ｒ１１の制御対象装置（照明装置４００ｃ）の装置制御情報と、リビングルームＲ１０の制御対象装置（照明装置４００ａおよび空調装置４００ｂ）の装置制御情報とを、互いに識別可能に格納しておく。そして、無線ＬＡＮリピータ１５１に最初に近接した（プライマリの）携帯通信端末２０１に対しては、無線ＬＡＮリピータ１５１に格納されているすべての装置制御情報を、ＮＦＣを利用して送信する。これに対して、無線ＬＡＮリピータ１５１に２番目以降に近接した携帯通信端末に対しては、リビングルームＲ１０の制御対象装置（照明装置４００ａおよび空調装置４００ｂ）の装置制御情報のみを、ＮＦＣを利用して送信する。同様に、無線ＬＡＮリピータ１５２にも、予め、第２の小部屋Ｒ１２の制御対象装置（照明装置４００ｄ）の装置制御情報と、リビングルームＲ１０の制御対象装置の装置制御情報とを、互いに識別可能に格納しておき、上述した携帯通信端末２０１に関する動作と同様な動作を行わせる。以上の構成においても、プライマリとして認証された携帯通信端末のみを、２つの小部屋Ｒ１１，Ｒ１２の制御対象装置（照明装置４００ｃおよび照明装置４００ｄ）を制御なリモコンとして動作させることができる。加えて、ユーザは、携帯通信端末２０１を無線ＬＡＮリピータ１５１に近接させることで、携帯通信端末２０１を、リビングルームＲ１０の照明装置４００ａおよび空調装置４００ｂ用のリモコンとして動作させることができる。したがって、携帯通信端末２０１をリビングルームＲ１０の照明装置４００ａおよび空調装置４００ｂ用のリモコンとして動作させるために、無線中継装置１００に近接させる作業を省略できる。同様な理由により、携帯通信端末２０２をリビングルームＲ１０の照明装置４００ａおよび空調装置４００ｂ用のリモコンとして動作させるために、無線中継装置１００に近接させる作業を省略できる。
【０１１４】
Ｆ−１４．変形例１４：
上記第２実施形態では、プライマリとして認証された携帯通信端末２００と、その他の携帯通信端末２００とで、制御対象装置（制御対象装置の種類）を異ならせていたが、制御対象装置に代えて、制御項目や設定範囲などを異ならせることもできる。具体的には、例えば、プライマリの携帯通信端末２００については、空調装置４００ｂの制御項目のうち、図９に示す全ての制御項目（動作、運転モード、目標温度）のいずれも制御可能とし、プライマリ以外の携帯通信端末２００については、空調装置４００ｂの制御項目のうち、「動作」のみを制御可能としてもよい。また、例えば、プライマリの携帯通信端末２００については、テレビ受像機の制御項目「チャンネル」の設定範囲のうち、図９に示す全ての設定範囲（１〜１５）を設定（制御）可能とし、プライマリ以外の携帯通信端末２００については、テレビ受像機の制御項目「チャンネル」の設定範囲のうち、制限された範囲（例えば、１〜５）を設定（制御）可能としてもよい。これらの例は、例えば、装置制御情報として、図９に示すように制御端末と装置種別とを対応付けるだけでなく、制御端末と制御項目とを対応付けることにより、または、制御端末と設定範囲とを対応付けることにより、ステップＳ２２０ａにおいて各携帯通信端末２００に送信する装置制御情報の内容を制御することによって実現できる。
【０１１５】
Ｆ−１５．変形例１５：
各実施形態では、ステップＳ１４５において、アクセスキー（およびパスワード）と制御コマンドとを同時に無線中継装置１００に送信していたが、本発明はこれに限定されるものではない。アクセスキー（およびパスワード）を送信した後に、制御コマンドを送信してもよい。さらに、この構成においては、無線中継装置１００において、受信されたアクセスキー（およびパスワード）の正当性が判断された後（ステップＳ２３０，Ｓ２３０ａが実行された後）に、制御コマンドが無線中継装置１００に送信されてもよい。また、携帯通信端末２００から送信する制御コマンドは、照明装置４００ａを直接動作させるコマンド自体でなくても差し支えない。例えば、携帯通信端末２００からは、「明るくする」「暗くする」といった制御情報を制御コマンドとして送信し、これを受け取った無線中継装置１００が、かかる制御情報を解釈し、照明装置４００ａに適したコマンドに変換して、照明装置４００ａに送信する構成としても良い。こうすれば、携帯通信端末２００におけるアプリケーションプログラムでは、制御対象装置の直接的なコマンドから切り離された概念的な操作が可能となる。例えば、携帯通信端末２００側で「もっと柔らかい光に」という制御コマンドを選択した場合、実際には、無線中継装置１００が、照明の発光色を調整するコマンドと光量を変更するコマンドとを組を合わせて、照明装置４００ａに送信するといった対応が可能となる。
【０１１６】
また、各実施形態では、携帯通信端末２００，２０１，２０１と無線中継装置１００との間におけるアクセスキー（およびパスワード）のやりとりは、ステップＳ１２０（Ｓ１２０ａ）と、ステップＳ１４５（Ｓ１４５ａ）との合計２回であったが、３回以上行なってもよい。この構成においては、時間的により前のやりとりにより、無線中継装置１００において受信されたアクセスキー（およびパスワード）が正当であれば、携帯通信端末２００，２０１，２０２に装置制御情報を送信し、時間的により後のやりとりにより、無線中継装置１００において受信されたアクセスキー（およびパスワード）が正当であれば、制御コマンドを、制御対象装置（照明装置４００等）に送信することが好ましい。
【０１１７】
Ｆ−１６．変形例１６：
各実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータプログラム）は、コンピューター読み取り可能な記録媒体に格納された形で提供することができる。「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【０１１８】
Ｆ−１７．変形例１７：
第５実施形態の遠隔制御処理において、場合によってはステップＳ２３０を省略することもできる。具体的には、例えば、無線ＬＡＮリピータ１５１において、無線中継装置１００からアクセスキーおよび制御コマンドを受信した場合（図１６のステップＳ２２５：ＹＥＳ）には、無線中継装置１００において、既に図１７におけるステップＳ２２５が実行され、アクセスキーが正当であると判定されている。したがって、この場合、ステップＳ２３０を省略して、ステップＳ２３１を実行することができる。更に、この場合には、無線中継装置１００は、受信したアクセスキーに対応付けられている無線ＬＡＮリピータに対して、アクセスキーおよび制御コマンドを中継している。このため、無線ＬＡＮリピータ１５１が無線中継装置１００から受信するアクセスキーは、第１の小部屋Ｒ１１用のアクセスキーである。したがって、ステップＳ２３１を省略して、ステップＳ２３５，Ｓ２４０を実行してもよい。なお、無線ＬＡＮリピータ１５２において実行されるステップＳ２３０，Ｓ２３１も同様に省略できる。また、無線中継装置１００において実行されるステップＳ２３０，Ｓ２３１ａも同様に省略できる。
【０１１９】
Ｆ−１８．変形例１８：
第５実施形態では、無線ＬＡＮリピータ１５１と無線中継装置１００との間、および無線ＬＡＮリピータ１５２と無線中継装置１００との間のように、２台の装置間でのみアクセスキーおよび制御コマンドが中継されていた。換言すると、１つのリンクのみを介してアクセスキーおよび制御コマンドが中継されていたが、本発明はこれに限定されるものではない。２つのリンクを介してアクセスキーおよび制御コマンドが中継されてもよい。具体的には、無線ＬＡＮリピータ１５１と無線中継装置１００との間の第１のリンクと、無線中継装置１００と無線ＬＡＮリピータ１５２との間の第２のリンクとを介して、アクセスキーおよび制御コマンドが中継されてもよい。例えば、携帯通信端末２０２が第１の小部屋Ｒ１１内に存在する状況において、ユーザが第２の小部屋Ｒ１２の照明装置４００ｄを制御するための操作を行なった場合、携帯通信端末２０１から出力されるアクセスキーおよび制御コマンドが、無線ＬＡＮリピータ１５１で受信され、その後、第１のリンク（無線ＬＡＮリピータ１５１〜無線中継装置１００）を介して無線中継装置１００に中継され、続いて、第２のリンク（無線中継装置１００〜無線ＬＡＮリピータ１５２）を介して無線ＬＡＮリピータ１５２に中継される構成としてもよい。そして、無線ＬＡＮリピータ１５２から照明装置４００ｄに対して制御コマンドが送信される構成としてもよい。このような構成によれば、携帯通信端末２００，２０１，２０２が部屋Ｒ１００内のいずれの場所にいても、任意の部屋（リビングルームＲ１０、第１の小部屋Ｒ１１、および第２の小部屋Ｒ１２）の装置を制御することができる。
なお、第５実施形態において、さらに多くの無線ＬＡＮリピータが存在する場合には、２つりのリンクに限らず３以上のリンクを介してアクセスキーおよび制御コマンドが中継されてもよい。この構成においては、複数の無線ＬＡＮリピータのうち、少なくとも１つの無線ＬＡＮリピータは、制御対象装置を制御せず、換言すると、制御対象装置用の制御コマンドを制御対象装置に対して出力せず、単にアクセスキーおよび制御コマンドを中継するに過ぎない装置であってもよい。
さらに、第５実施形態において、無線ＬＡＮリピータ１５１，１５２のうちの少なくとも１つを、制御対象装置を制御せず、換言すると、制御対象装置用の制御コマンドを制御対象装置に対して出力せず、単にアクセスキーおよび制御コマンドを中継するに過ぎない装置としてもよい。この構成では、例えば、携帯通信端末２００は、第１の小部屋Ｒ１１内において、リビングルームＲ１０内の照明装置４００ａを制御するためにアクセスキーおよび制御コマンドを無線ＬＡＮリピータ１５１に送信し、無線ＬＡＮリピータ１５１はアクセスキーおよび制御コマンドを単に無線中継装置１００に中継してもよい。
【０１２０】
Ｆ−１９．変形例１９：
無線中継装置１００をルータとして動作させてもよい。ルータとして動作させることにより、ユーザは、ホテル内ＬＡＮ１５の外部から（例えば、インターネットを介して）無線中継装置１００にアクセスできるので、照明装置４００ａおよび空調装置４００ｂを遠隔制御できる。
【０１２１】
Ｆ−２０．変形例２０：
本発明は、ホテルなどの宿泊施設だけでなく、様々な店舗やイベント会場などにも適用可能である。例えば、イベント会場に設置されたゲーム機などにおいて、利用者が自分の携帯通信端末をコントローラーとして利用するケースが想定される。こうした場合に、携帯通信端末は、ＮＦＣの通信によりアクセスキーを受取り、これを無線中継装置に送信し、認証を受ける。認証を受けた携帯通信端末は、ゲーム機のコントローラーとして動作し、その動きを、ゲーム機に対する制御コマンドとして出力する。ゲームを終えて、次のプレーヤーに交代するとき、アクセスキーを変更すれば、前のプレーヤーがその携帯通信端末を持ったまま、イベント会場にいても、ゲーム機が影響を受けることはない。
【０１２２】
アクセスキーの変更は、例えばゲーム開始からの経過時間が所定時間に達した時に行なっても良いし、ゲームオーバーとなった回数が所定回数に達したときに変更するものとしても良い。また、第２、第３実施形態で説明したように、複数の携帯通信端末２００をそれぞれゲームのコントローラーとして使用することは容易なので、複数プレーヤーによるゲーム機などに適用することも容易である。
【０１２３】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１２４】
１０，１０ａ…制御システム
１５…ホテル内ＬＡＮ
２０…ＣＰＵ
２０ａ…フレーム中継部
２０ｂ…制御コマンド中継部
２０ｃ…アクセスキー送信部
２０ｄ…アクセスキー受信部
２０ｅ…アクセスキー設定部
２０ｆ…装置制御情報送信部
２０ｇ…指示受信部
３０…メモリ
３０ａ…アクセスキー格納部
３０ｂ…装置制御情報格納部
３０ｃ…無線接続プロファイル格納部
４１…近接無線通信制御回路
４２…無線ＬＡＮ通信制御回路
４３…無線通信制御回路
４４…有線ＬＡＮ通信制御回路
１００…無線中継装置
１５１，１５２…無線ＬＡＮリピータ
２００，２０１，２０２…携帯通信端末
２１０…ＣＰＵ
２１１…アクセスキー制御部
２１２…通話制御部
２１３…リモートコントローラー部
２１４…画面生成部
２２０…メモリ
２２１…アクセスキー格納部
２２２…装置制御情報格納部
２２３…無線接続プロファイル格納部
２３０…タッチパネル
２４１…近接無線通信制御回路
２４２…無線ＬＡＮ通信制御回路
２４３…移動体通信制御回路
２５１…音声入出力部
２５２…操作部
３００…管理装置
３０１…筐体
３１０…ＣＰＵ
３１１…宿泊管理部
３１２…アクセスキー更新制御部
３２０…メモリ
３３０…ハードディスク
３３１…アクセスキー格納部
３４０…有線ＬＡＮ制御回路
３５１…表示部
３５２…キーボード
３６０…入出力インターフェイス部
４００ａ，４００ｃ，４００ｄ…照明装置
４００ｂ…空調装置
４１０ａ，４１０ｂ…無線通信部
４２０ａ，４２０ｂ…主制御部
４３０ａ，４３０ｂ…主機能部
Ｂ１…対象装置選択ボタン
Ｂ２…対象装置選択ボタン
Ｂ３…ＯＫボタン
Ｂ４…キャンセルボタン
Ｂ５…対象装置選択ボタン
Ｂ１０…パスワード入力欄
Ｂ１１…ＯＫボタン
Ｂ１２…キャンセルボタン
Ｒ１，Ｒ１００…部屋
Ｒ１０…リビングルーム
Ｒ１１…第１の小部屋
Ｒ１２…第２の小部屋
Ｗ１…操作用画面
Ｗ２…制御画面
Ｗ１１…操作用画面
Ｗ２１…パスワード入力画面
【図１】
2015181220.tif 000003
【図２】
2015181220.tif 000004
【図３】
2015181220.tif 000005
【図４】
2015181220.tif 000006
【図５】
2015181220.tif 000007
【図６】
2015181220.tif 000008
【図７】
2015181220.tif 000009
【図８】
2015181220.tif 000010
【図９】
2015181220.tif 000011
【図１０】
2015181220.tif 000012
【図１１】
2015181220.tif 000013
【図１２】
2015181220.tif 000014
【図１３】
2015181220.tif 000015
【図１４】
2015181220.tif 000016
【図１５】
2015181220.tif 000017
【図１６】
2015181220.tif 000018
【図１７】
2015181220.tif 000019